(57)【特許請求の範囲】
【請求項１】
リードイン領域及びリードアウト領域間に定められ、論理セクタの境界で区分されている少なくとも１つ以上のタイトル・セット領域から構成されるデータ記録領域を有し、前記タイトル・セット領域には、時系列的に再生対象とされ、その各々が一定時間範囲内で再生される複数のデータユニットが記録され、このデータユニットがその先頭に配置されたナビゲーションデータパック並びにこれに続いて配置されたビデオデータパック、副映像データパック、及びオーディオデータパックを含むデータパック列から構成されている光ディスクにおいて、
上記ビデオデータパック、副映像データパック、及びオーディオデータパックは、それぞれ１つのパックヘッダ及び１つのデータパケットから構成され、各データパケットがパケットヘッダとデータ領域とから構成され、
上記ビデオデータパックのデータ領域には、ＭＰＥＧ規格に定められたビデオストリームのデータが格納され、また、Ｉピクチャーを有するビデオデータが格納され、
上記副映像データパックのデータ領域には、副映像ユニットヘッダとランレングスデータで構成される画素データと表示制御シーケンスとからなる副映像ユニットの一部が格納され、
上記表示制御シーケンスには、次の表示制御シーケンスのスタートアドレスと表示制御コマンドとが格納され、
上記オーディオデータパックのデータ領域には、オーディオデータが格納され、
上記ナビゲーションデータパックは、１つのパックヘッダ及び第１、第２のデータパケットから構成され、上記第１のデータパケットには、上記データユニットの再生を制御する再生制御情報が格納され、上記第２のデータパケットには、上記データユニットのデータをサーチするデータサーチ情報とシステム時刻基準参照値が格納されている光ディスク
から上記データパック列を単位として上記パックを読取る手段と、
この手段により読取ったパックヘッダの次のデータによりナビゲーションデータパック、ビデオデータパック、副映像データパック、オーディオのデータパックいずれであるかを判別する手段と、
この手段により上記ナビゲーションデータパックを判別した際に、このナビゲーションデータパックからデータパケットのシステム時刻基準参照値を判断する手段と、
上記判別された上記ビデオデータパックのビデオデータをシステム時刻基準参照値に基づいて、デコードするビデオデコーダ部と、
上記判別された上記副映像データパックの副映像データをシステム時刻基準参照値に基づいて、デコードする副映像デコーダ部と、
上記判別された上記オーディオデータパックのオーディオデータをシステム時刻基準参照値に基づいて、デコードするオーディオデコーダ部と、
上記ビデオデコーダ部でデコードされたビデオデータを再生出力する手段と、
上記副映像デコーダ部でデコードされた副映像データを上記ビデオデータと合成して再生出力する手段と、
上記オーディオデコーダ部でデコードされたオーディオデータを再生出力する手段と、
上記光ディスクの装填時、あらかじめ設定されている固有コードの複数の識別方法の１つの識別方法を選択する選択手段と、
この選択手段により選択されている１つの識別方法を用いて光ディスクを特定する固有コードを生成する生成手段と、
この生成手段により生成された固有コードに基づいて上記光ディスクからデータを再生している際の再生状態を記憶する記憶手段と、
電源断時、あるいは光ディスクの取り外し時に、上記光ディスクの固有コードに対応してビデオ、オーディオ及び副映像デコーダに対する再生スタート時間と光ディスクの再生スタートアドレスとを上記記憶手段に記憶する第１の処理手段と、
光ディスクの装填時、この光ディスクの固有コードと一致する固有コードが上記記憶手段に存在するか否かを判断する判断手段と、
この判断手段により一致する固有コードの在りを判断した際に、上記固有コードに対応する再生スタート時間と光ディスクの再生スタートアドレスと再生状態とを上記記憶手段から読取る読取手段と、
この読取手段により読取った再生スタートアドレスに基づくビデオタイトルセットのビデオ・オーディオ及び副映像データの読み込みを開始する第２の処理手段と、
この第２の処理手段により読み込まれたビデオ・オーディオ及び副映像データを上記読取手段により読取った再生スタート時間に基づいて上記ビデオ、オーディオ及び副映像デコーダの各システム時刻基準参照値を更新することによりデコードする手段と、
上記読取手段により読み込まれた再生状態に設定する設定手段と、
を具備したことを特徴とする再生装置。
【請求項２】
上記固有コードの複数の識別方法が、光ディスクの複数の特定データを単独に用いて生成される固有コード、あるいは複数の組合わせを用いて生成される固有コード、あるいは種々の固有コードにそれぞれ優先順位を設定するものであることを特徴とする請求項１に記載の再生装置。
【請求項３】
リードイン領域及びリードアウト領域間に定められ、論理セクタの境界で区分されている少なくとも１つ以上のタイトル・セット領域から構成されるデータ記録領域を有し、前記タイトル・セット領域には、時系列的に再生対象とされ、その各々が一定時間範囲内で再生される複数のデータユニットが記録され、このデータユニットがその先頭に配置されたナビゲーションデータパック並びにこれに続いて配置されたビデオデータパック、副映像データパック、及びオーディオデータパックを含むデータパック列から構成されている光ディスクにおいて、
上記ビデオデータパック、副映像データパック、及びオーディオデータパックは、それぞれ１つのパックヘッダ及び１つのデータパケットから構成され、各データパケットがパケットヘッダとデータ領域とから構成され、
上記ビデオデータパックのデータ領域には、ＭＰＥＧ規格に定められたビデオストリームのデータが格納され、また、Ｉピクチャーを有するビデオデータが格納され、
上記副映像データパックのデータ領域には、副映像ユニットヘッダとランレングスデータで構成される画素データと表示制御シーケンスとからなる副映像ユニットの一部が格納され、
上記表示制御シーケンスには、次の表示制御シーケンスのスタートアドレスと表示制御コマンドとが格納され、
上記オーディオデータパックのデータ領域には、オーディオデータが格納され、
上記ナビゲーションデータパックは、１つのパックヘッダ及び第１、第２のデータパケットから構成され、上記第１のデータパケットには、上記データユニットの再生を制御する再生制御情報が格納され、上記第２のデータパケットには、上記データユニットのデータをサーチするデータサーチ情報とシステム時刻基準参照値が格納されている光ディスク
から上記データパック列を単位として上記パックを読取る工程と、
この工程により読取ったパックヘッダの次のデータによりナビゲーションデータパック、ビデオデータパック、副映像データパック、オーディオのデータパックいずれであるかを判別する工程と、
この工程により上記ナビゲーションデータパックを判別した際に、このナビゲーションデータパックからデータパケットのシステム時刻基準参照値を判断する工程と、
上記判別された上記ビデオデータパックのビデオデータをシステム時刻基準参照値に基づいて、ビデオデータデコーダによりデコードする工程と、
上記判別された上記副映像データパックの副映像データをシステム時刻基準参照値に基づいて、副映像データデコーダによりデコードする工程と、
上記判別された上記オーディオデータパックのオーディオデータをシステム時刻基準参照値に基づいて、オーディオデータデコーダによりデコードする工程と、
上記デコードされたビデオデータを再生出力する工程と、
上記デコードされた副映像データを上記ビデオデータと合成して再生出力する工程と、
上記デコードされたオーディオデータを再生出力する工程と、
上記光ディスクの装填時、あらかじめ設定されている固有コードの複数の識別方法の１つの識別方法を選択する選択工程と、
この選択工程により選択されている１つの識別方法を用いて光ディスクを特定する固有コードを生成する生成工程と、
この生成工程により生成された固有コードに基づいて上記光ディスクからデータを再生している際の再生状態を記憶手段に記憶する記憶工程と、
電源断時、あるいは光ディスクの取り外し時に、上記光ディスクの固有コードに対応してビデオ、オーディオ及び副映像デコーダに対する再生スタート時間と光ディスクの再生スタートアドレスとを上記記憶手段に記憶する工程と、
光ディスクの装填時、この光ディスクの固有コードと一致する固有コードが上記記憶手段に存在するか否かを判断する判断工程と、
この判断工程により一致する固有コードの在りを判断した際に、上記固有コードに対応する再生スタート時間と光ディスクの再生スタートアドレスと再生状態とを上記記憶工程から読取る読取工程と、
この読取工程により読取った再生スタートアドレスに基づくビデオタイトルセットのビデオ・オーディオ及び副映像データの読み込みを開始する工程と、
この工程により読み込まれたビデオ・オーディオ及び副映像データを上記読取工程により読取った再生スタート時間に基づいて上記ビデオ、オーディオ及び副映像デコーダの各システム時刻基準参照値を更新することによりデコードする工程と、
上記読取工程により読み込まれた再生状態に設定する設定工程と、
を有することを特徴とする再生方法。
【請求項４】
上記固有コードの複数の識別方法が、光ディスクの複数の特定データを単独に用いて生成される固有コード、あるいは複数の組合わせを用いて生成される固有コード、あるいは種々の固有コードにそれぞれ優先順位を設定するものであることを特徴とする請求項３に記載の再生方法。
【発明の詳細な説明】
【０００１】
【発明の属する技術分野】
この発明は、圧縮された動画データや音声データ等の目的や種類の違うデータを記録する光ディスク等の記録媒体からデータを再生する再生装置、その記録媒体からのデータの再生方法に関する。
【０００２】
【従来の技術】
近年、圧縮されたデータとして、動画データ（ビデオデータ）とこの動画データと同じ時間帯に再生される副映像データ（字幕などの静止画）や音声データが記録されている光ディスク（たとえばディジタル・バーサタイル・ディスク；ＤＶＤ）等の記録媒体から各データを再生する再生装置が開発されている。
【０００３】
このような再生装置が有する設定項目として、タイトルの選択、プログラムチェーン（チャプタ）番号の選択、副映像チャンネル（副映像ストリーム番号）の選択、オーディオチャンネル（オーディオストリーム番号）の選択、パレンタルレベルの選択、オンスクリーンディスプレイ（ＯＳＤ）の表示状況（シャープネス、明るさ）の選択等、多くの設定項目がある。
【０００４】
このような再生装置では、デフォルト状態（あらかじめ設定されている初期設定状態、あるいは光ディスクの種類にかかわらず直前に再生したときの設定状態をそのまま継続する）を用いて、光ディスクの再生が行われるようになっている。
【０００５】
しかし、このような再生装置では、装填される光ディスクによって、各設定状態を自分の好みに合わせて変えたい場合に、例えばこの光ディスクは日本語、この光ディスクは英語といったように、音声チャンネルを変えたいような場合は、自分で設定し直す必要がある。
【０００６】
このような操作を、光ディスクが過去に装填したものであっても、装填するたびに、好みに合わせた各設定をし直さなければならず、大変不便で、操作性の悪いものとなっているという欠点がある。
【０００７】
また、途中まで再生していた光ディスクを、再度装填して再生しようとした際に、その途中の再生位置を利用者が自分で見付け出さなければならず、大変不便で、操作性の悪いものとなっているという欠点がある。
【０００８】
【発明が解決しようとする課題】
上記したように、記録媒体ごとに種々の設定をいちいち行なわなければならず、大変不便で、操作性の悪いものとなっているという欠点を除去するもので、記録媒体ごとに種々の設定をいちいち行なわなくて良く、操作性の良い再生装置と再生方法を提供することを目的とする。
【０００９】
また、途中まで再生していた記録媒体を、再度装填して再生しようとした際に、その途中の再生位置を利用者が自分で見付け出さなければならず、大変不便で、操作性の悪いものとなっているという欠点を除去するもので、途中まで再生していた記録媒体を、再度装填して再生しようとした際に、その途中の再生位置から自動的に再生することができ、操作性の良い再生装置と再生方法を提供することを目的とする。
【００１０】
【課題を解決するための手段】
この発明の再生装置は、リードイン領域及びリードアウト領域間に定められ、論理セクタの境界で区分されている少なくとも１つ以上のタイトル・セット領域から構成されるデータ記録領域を有し、前記タイトル・セット領域には、時系列的に再生対象とされ、その各々が一定時間範囲内で再生される複数のデータユニットが記録され、このデータユニットがその先頭に配置されたナビゲーションデータパック並びにこれに続いて配置されたビデオデータパック、副映像データパック、及びオーディオデータパックを含むデータパック列から構成されている光ディスクにおいて、上記ビデオデータパック、副映像データパック、及びオーディオデータパックは、それぞれ１つのパックヘッダ及び１つのデータパケットから構成され、各データパケットがパケットヘッダとデータ領域とから構成され、上記ビデオデータパックのデータ領域には、ＭＰＥＧ規格に定められたビデオストリームのデータが格納され、また、Ｉピクチャーを有するビデオデータが格納され、上記副映像データパックのデータ領域には、副映像ユニットヘッダとランレングスデータで構成される画素データと表示制御シーケンスとからなる副映像ユニットの一部が格納され、上記表示制御シーケンスには、次の表示制御シーケンスのスタートアドレスと表示制御コマンドとが格納され、上記オーディオデータパックのデータ領域には、オーディオデータが格納され、上記ナビゲーションデータパックは、１つのパックヘッダ及び第１、第２のデータパケットから構成され、上記第１のデータパケットには、上記データユニットの再生を制御する再生制御情報が格納され、上記第２のデータパケットには、上記データユニットのデータをサーチするデータサーチ情報とシステム時刻基準参照値が格納されている光ディスクから上記データパック列を単位として上記パックを読取る手段と、この手段により読取ったパックヘッダの次のデータによりナビゲーションデータパック、ビデオデータパック、副映像データパック、オーディオのデータパックいずれであるかを判別する手段と、この手段により上記ナビゲーションデータパックを判別した際に、このナビゲーションデータパックからデータパケットのシステム時刻基準参照値を判断する手段と、上記判別された上記ビデオデータパックのビデオデータをシステム時刻基準参照値に基づいて、デコードするビデオデコーダ部と、上記判別された上記副映像データパックの副映像データをシステム時刻基準参照値に基づいて、デコードする副映像デコーダ部と、上記判別された上記オーディオデータパックのオーディオデータをシステム時刻基準参照値に基づいて、デコードするオーディオデコーダ部と、上記ビデオデコーダ部でデコードされたビデオデータを再生出力する手段と、上記副映像デコーダ部でデコードされた副映像データを上記ビデオデータと合成して再生出力する手段と、上記オーディオデコーダ部でデコードされたオーディオデータを再生出力する手段と、上記光ディスクの装填時、あらかじめ設定されている固有コードの複数の識別方法の１つの識別方法を選択する選択手段と、この選択手段により選択されている１つの識別方法を用いて光ディスクを特定する固有コードを生成する生成手段と、この生成手段により生成された固有コードに基づいて上記光ディスクからデータを再生している際の再生状態を記憶する記憶手段と、電源断時、あるいは光ディスクの取り外し時に、上記光ディスクの固有コードに対応してビデオ、オーディオ及び副映像デコーダに対する再生スタート時間と光ディスクの再生スタートアドレスとを上記記憶手段に記憶する第１の処理手段と、光ディスクの装填時、この光ディスクの固有コードと一致する固有コードが上記記憶手段に存在するか否かを判断する判断手段と、この判断手段により一致する固有コードの在りを判断した際に、上記固有コードに対応する再生スタート時間と光ディスクの再生スタートアドレスと再生状態とを上記記憶手段から読取る読取手段と、この読取手段により読取った再生スタートアドレスに基づくビデオタイトルセットのビデオ・オーディオ及び副映像データの読み込みを開始する第２の処理手段と、この第２の処理手段により読み込まれたビデオ・オーディオ及び副映像データを上記読取手段により読取った再生スタート時間に基づいて上記ビデオ、オーディオ及び副映像デコーダの各システム時刻基準参照値を更新することによりデコードする手段と、上記読取手段により読み込まれた再生状態に設定する設定手段とから構成される。
【００２２】
【発明の実施の形態】
以下、図面を参照してこの発明の実施例に係る光ディスク再生装置を説明する。
【００２３】
図１は、この発明の一実施例に係る光ディスクからデータを再生する光ディス再生装置のブロックを示し、図２は、図１に示された光ディスクをドライブするディスクドライブ部のブロックを示し、図３は、図１及び図２に示した光ディスクの構造を示している。
【００２４】
図１に示すように光ディスク再生装置は、キー操作／表示部４、モニター部６及びスピーカー部８を具備している。ここで、ユーザがキー操作／表示部４を操作することによって光ディスク１０から記録データが再生される。記録データは、映像データ、副映像データ及び音声データを含み、これらは、ビデオ信号及びオーディオ信号に変換される。モニタ部６は、オーディオ信号によって映像を表示し、スピーカ部８は、オーディオ信号によって音声を発生している。
【００２５】
既に知られるように光ディスク１０は、種々の構造がある。この光ディスク１０には、例えば、図３に示すように、高密度でデータが記録される読み出し専用ディスクがある。図３に示されるように光ディスク１０は、一対の複合層１８とこの複合ディスク層１８間に介挿された接着層２０とから構成されている。この各複合ディスク層１８は、透明基板１４及び記録層、即ち、光反射層１６から構成されている。このディスク層１８は、光反射層１６が接着層２０の面上に接触するように配置される。この光ディスク１０には、中心孔２２が設けられ、その両面の中心孔２２の周囲には、この光ディスク１０をその回転時に押さえる為のクランピング領域２４が設けられている。中心孔２２には、光ディスク装置にディスク１０が装填された際に図２に示されたスピンドルモータ１２のスピンドルが挿入され、ディスクが回転される間、光ディスク１０は、そのクランピング領域２４でクランプされる。
【００２６】
図３に示すように、光ディスク１０は、その両面のクランピング領域２４の周囲に光ディスク１０に情報を記録することができる情報領域２５を有している。各情報領域２５は、その外周領域が通常は情報が記録されないリードアウト領域２６に、また、クランピング領域２４に接するその内周領域が同様に、通常は情報が記録されないリードイン領域２７に定められ、更に、このリードアウト領域２６とリードイン領域２７との間がデータ記録領域２８に定められている。
【００２７】
情報領域２５の記録層１６には、通常、データが記録される領域としてトラックがスパイラル状に連続して形成され、その連続するトラックは、複数の物理的なセクタに分割され、そのセクタには、連続番号が付され、このセクタを基準にデータが記録されている。情報記録領域２５のデータ記録領域２８は、実際のデータ記録領域であって、後に説明するように再生情報、ビデオデータ（主映像データ）、副映像データ及びオーディオデータが同様にピット（即ち、物理的状態の変化）として記録されている。読み出し専用の光ディスク１０では、透明基板１４にピット列が予めスタンパーで形成され、このピット列が形成された透明基板１４の面に反射層が蒸着により形成され、その反射層が記録層１６として形成されることとなる。また、この読み出し専用の光ディスク１０では、通常、トラックとしてのグルーブが特に設けられず、透明基板１４の面に形成されるピット列がトラックとして定められている。
【００２８】
このような光ディスク装置１２は、図１に示されるように更にディスクドライブ部３０、システムＣＰＵ部５０、システムＲＯＭ／ＲＡＭ部５２、システムプロッセッサ部５４、データＲＡＭ部５６、ビデオデコータ部５８、オーディオデコーダ部６０、副映像デコーダ部６２及びＤ／Ａ及びデータ再生部６４から構成されている。システムプロッセッサ部５４は、システムタイムクロック５４Ａ及びレジスタ５４Ｂを備え、また、ビデオデコータ部５８、オーディオデコーダ部６０及び副映像デコーダ部６２は、同様にシステムタイムクロック（ＳＴＣ）５８Ａ、６０Ａ、６２Ａを備えている。
【００２９】
システムＲＯＭ／ＲＡＭ部５２には、再生状態テーブル５２Ａが記憶されるようになっている。この再生状態テーブル５２Ａは、装填された各光ディスク１０ごとの固有コードに対応した種々の設定状態等の再生状態を記憶するテーブルであり、たとえば、図４に示すように、固有コードに対応して、タイトルの選択状態、チャプターの選択状態、オーディオデータの選択状態、副映像の選択状態、アングルの選択状態、国別対応の状態、パレンタルレベルの選択状態、オンスクリーンディスプレイの表示状況、中断位置（中断時刻、再生スタート時間）が記憶されるようになっている。再生状態テーブル５２Ａの容量は、項目数、各項目のデータ長、および過去の何のデータの再生履歴情報を格納するかというセット仕様によって決定される。また、再生状態テーブル５２Ａへのデータ格納方法はＦＩＦＯ方式やユーザの指定時に記憶する方式等自由である。
【００３０】
固有コードは、光ディスク１０を特定するためのもので、以下の１〜８に示すものの少なくとも１つ、あるいは複数の組合わせで構成されている。たとえば、単に繋げたり、加減乗除の演算等により得られるようにしても良い。
【００３１】
１．後述するリードインエリア２７内のコントロールデータエリア２７Ｂに記述されるデータエリア８２のエンドセクタ番号（３バイト構成）。
【００３２】
２．後述するボリューム及びファイル構造領域７０内に記述されるマイクロＵＤＦのプライマリボリュームディスクリプタの各項目のデータ。
【００３３】
３．後述するボリューム及びファイル構造領域７０内に記述されるＩＳＯ９６６０のプライマリボリュームディスクリプタの各項目のデータ。
【００３４】
４．後述するビデオ管理情報管理テーブル（ＶＭＧＩ＿ＭＡＴ）７８内に記述されるプロバイダユニークＩＤ（ＰＶＲ＿ＩＤ）。
【００３５】
５．後述するビデオ管理情報管理テーブル（ＶＭＧＩ＿ＭＡＴ）７８内に記述される各項目（ＶＭＧ＿ＩＤ等）のスタートアドレス。
【００３６】
６．後述するビデオタイトルセット情報管理テーブル（ＶＴＳＩ＿ＭＡＴ）９８内に記述されるオーディオストリームの数（ＶＴＳ＿ＡＳＴ＿Ｎｓ）、副映像ストリームの数（ＶＴＳ＿ＳＰＳＴ＿Ｎｓ）。
【００３７】
７．後述するビデオタイトルセット情報管理テーブル（ＶＴＳＩ＿ＭＡＴ）９８内に記述される各項目（ＶＴＳ＿ＩＤ等）のスタートアドレス。
【００３８】
８．後述するビデオタイトルセット（ＶＴＳ）７２内のビデオタイトルセットタイトル用のビデオオブジェクトセット（ＶＴＳＴＴ＿ＶＯＢＳ）９６の開始セクタ（ナビゲーションパック８６に対応）の次のセクタ（先頭から２セクタ目：ビデオパック８８に対応）の１０２４バイト目と１０２５バイト目の２バイトのデータ。
【００３９】
この８番目のデータが固有データとして有効な理由は、このセクタのデータがビデオパックのビデオデータである可能性が極めて高い、また、このビデオデータはＭＰＥＧ圧縮されているデータのため、同じ値をとる確率が低く、さらに、セクタの中央のデータは、パケットヘッダやスタッフィングの可能性がなく、ビデオデータそのものであるためである。
【００４０】
なお、上記例では、１０２４バイト目と１０２５バイト目の２バイトのデータを用いたが、パケットヘッダやスタッフィングの可能性がない部分であれば、必ずしもこの部分である必要はない。
【００４１】
また、ビデオタイトルセット（ＶＴＳ）７２が複数存在する場合、先頭のものを用いるが、各ビデオタイトルセット（ＶＴＳ）７２ごとに固有コードを付与できるようにし、各タイトルごとに設定の記憶、変更が行えるようにしても良い。
【００４２】
タイトルの選択状態としては、どのタイトルが選択されているかが記憶されるようになっている。
【００４３】
チャプターの選択状態としては、どのチャプターが記憶されるようになっている。
【００４４】
オーディオデータの選択状態としては、どのオーディオデータが記憶されるようになっている。
【００４５】
副映像の選択状態としては、どの副映像が選択されているかが記憶されるようになっている。
【００４６】
アングルの選択状態としては、どのアングルが選択されているかが記憶されるようになっている。
【００４７】
国別対応の状態としては、システムＣＰＵ部５０により管理されている国コードと一致する、後述するパレンタルマネージャ情報テーブル（ＰＴＬ＿ＭＡＩＴ）内に記述される国コードに対応するパレンタルレベル数の読出し状態が記憶されるようになっている。
【００４８】
パレンタルレベルの選択状態としては、選択可能な複数のパレンタルレベルのどれが選択されているかが記憶されるようになっている。
【００４９】
オンスクリーンディスプレイの表示状況としては、オンスクリーンディスプレイのオン／オフ、複数の表示形式がある場合はその表示形式の状態、モニタ部６におけるシャープネスや明るさなどの調整結果が記憶されるようになっている。
【００５０】
中断位置は、光ディスク１０の取出し時の再生時刻（システムタイムクロック５４Ａの時刻）に対応する、ＶＯＢＵのスタートアドレス（ＬＢＮ  ｏｆ  Ｎａｖｉｇａｔｉｏｎ  Ｐａｃｋ）、セルＩＤナンバー、プログラムナンバー、プログラムチェーンナンバー、ビデオタイトルセットナンバーが記憶されるようになっている。
【００５１】
パレンタルとは、たとえば、国、宗教、年齢によって視聴を制限されているものがある。例えばアメリカでは、映画によって、誰でも視聴できる映画（レベル５）、子供（Ｇ）が視聴できる映画（レベル４）、親同伴に限り未成年者（ＰＧ）が視聴できる映画（レベル３）、親同伴に限り１３才以上の未成年者（ＰＧ１３）が視聴できる映画（レベル２）、成人（Ｒ）が視聴できる映画（レベル１）等の５段階に分かれている。このように、ソフトの内容により視聴できる対象者が制限され、あるいは映像により部分的に視聴できる対象者が制限されることをパレンタルと呼んでいる。
【００５２】
また、ハンディキャップ・パーソンとしての「目が不自由」「耳が不自由」に対応する機能、言語学習モードとしてのオーディオデータと副映像データの選択言語などの設定も考慮するようにしても良い。
【００５３】
上記光ディスク１０を識別する方法として、上記１〜８に示すものを単独に用いて生成される固有コード、あるいは複数の組合わせを用いて生成される固有コードを識別するようにしたり、それらの種々の固有コードにそれぞれ優先順位を設定して識別するようにしても良い。この場合、上記１〜８に示すものを単独に用いて生成される固有コード、あるいは複数の組合わせを用いて生成される固有コードを用いるか、あるいは優先順位を設定して識別するかについて、出荷時等にあらかじめ設定され、この設定内容が上記システムＣＰＵ部５０によりシステム用ＲＯＭ・ＲＡＭ部５２に記憶されるようにしている。また、図示しないディップスイッチにより設定できるようにしても良い。
【００５４】
図２に示すようにディスクドライブ部３０は、モータドライブ回路１１、スピンドルモータ１２、光学ヘッド３２（即ち、光ピックアップ）、フィードモータ３３、フォーカス回路３６、フィードモータ駆動回路３７、トラッキング回路３８、ヘッドアンプ４０及びサーボ処理回路４４を具備している。光ディスク１０は、モータ駆動回路１１によって駆動されるスピンドルモータ１２上に載置され、このスピンドルモータ１２によって回転される。光ディスク１０にレーザビームを照射する光学ヘッド３２が光ディスク１０の下に置かれている。また、この光学ヘッド３２は、ガイド機構（図示せず）上に載置されている。フィードモータ駆動回路３７がフィードモータ３３に駆動信号を供給する為に設けられている。モータ３３は、駆動信号によって駆動されて光学ヘッド３２を光ディスク１０の半径方向に移動している。光学ヘッド３２は、光ディスク１０に対向される対物レンズ３４を備えている。対物レンズ３４は、フォ―カス回路３６から供給される駆動信号に従ってその光軸に沿って移動される。
【００５５】
上述した光ディスク１０からデータを再生するには、光学ヘッド３２が対物レンズ３４を介してレーザビームを光ディスク１０に照射される。この対物レンズ３４は、トラッキング回路３８から供給された駆動信号に従って光ディスク１０の半径方向に微動される。また、対物レンズ３４は、その焦点が光ディスク１０の記録層１６に位置されるようにフォーカシング回路３６から供給された駆動信号に従ってその光軸方向に沿って微動される。その結果、レーザビームは、最小ビームスポットをスパイラルトラック（即ち、ピット列）上に形成され、トラックが光ビームスポットで追跡される。レーザビームは、記録層１６から反射され、光学ヘッド３２に戻される。光ヘッド３２では、光ディスク１０から反射された光ビームを電気信号に変換し、この電気信号は、光ヘッド３２からヘッドアンプ４０を介してサーボ処理回路４４に供給される。サーボ処理回路４４では、電気信号からフォ―カス信号、トラッキング信号及びモータ制御信号を生成し、これらの信号を夫々フォーカス回路３６、トラッキング回路３８、モータ駆動回路１１に供給している。
【００５６】
従って、対物レンズ３４がその光軸及び光ディスク１０の半径方向に沿って移動され、その焦点が光ディスク１０の記録層１６に位置され、また、レーザビームが最小ビームスポットをスパイラルトラック上に形成する。また、モータ駆動回路１１によってスピンドルモータ１２が所定の回転数で回転される。その結果、光ディスク１０のピット列が光ビームで、例えば、線速一定で追跡される。
【００５７】
図１に示されるシステムＣＰＵ部５０からアクセス信号としての制御信号がサーボ処理回路４４に供給される。この制御信号に応答してサーボ処理回路４４からヘッド移動信号がフィードモータ駆動回路３７に供給されてこの回路３７が駆動信号をフィードモータ３３に供給することとなる。従って、フィードモータ３３が駆動され、光ヘッド３２が光ディスク１０の半径方向に沿って移動される。そして、光学ヘッド３２によって光ディスク１０の記録層１６に形成された所定のセクタがアクセスされる。再生データは、その所定のセクタから再生されて光学ヘッド３２からヘッドアンプ４０に供給され、このヘッドアンプ４０で増幅され、ディスクドライブ部３０から出力される。
【００５８】
出力された再生データは、システム用ＲＯＭ及びＲＡＭ部５２に記録されたプログラムで制御されるシステムＣＰＵ部５０の管理下でシステムプロセッサ部５４によってデータＲＡＭ部５６に格納される。この格納された再生データは、システムプロセッサ部５４によって処理されてビデオデータ、オーディオデータ及び副映像データに分類され、ビデオデータ、オーディオデータ及び副映像データは、夫々ビデオデコーダ部５８、オーディオデコーダ部６０及び副映像デコーダ部６２に出力されてデコードされる。デコードされたビデオデータ、オーディオデータ及び副映像データは、Ｄ／Ａ及び再生処理回路６４でアナログ信号としてのビデオ信号、オーディオ信号に変換されるとともにミキシング処理されてビデオ信号及び副映像信号がモニタ部６に、また、オーディオ信号がスピーカ部８に夫々供給される。その結果、ビデオ信号及び副映像信号によってモニタ部６に映像が表示されるとともにオーディオ信号によってスピーカ部８から音声が再現される。
【００５９】
図１に示す光ディスク再生装置においては、ユーザが本体のフロントパネルのキー操作及び表示部４、あるいは本体内のリモートコントロールレシーブ部４Ａと赤外線による光通信により接続されている遠隔操作装置としてのリモートコントロール５を操作することによって光ディスク１０から記録データ、即ち、映像データ、副映像データ及び音声データが再生され、装置内でオーディオ（音声）信号及びビデオ信号に変換されて装置外のモニタ部６及びスピーカ部８で映像及び音声として再現される。
【００６０】
上記キー操作及び表示部４は、図５に示すように、電源キー４ａ、マイクの入力端子４ｂ、再生キー４ｃ、一時停止キー４ｄ、停止キー４ｅ、早送り後戻りキー４ｆ、光ディスク１０の取り込み取り外しを指示するオープン／クローズキー４ｇ、表示器４ｈ、光ディスク１０の挿入、取出口４ｉ等により構成されている。
【００６１】
上記リモートコントロール５は、図６に示すように、電源キー５ａ、数字キー５ｂ、停止キー５ｃ、再生キー５ｄ、一時停止キー５ｅ、メモリキー５ｆ、光ディスク１０の取り込み取り外しを指示するオープン／クローズキー５ｇ、早送り後戻りキー５ｈ、キー５ｉ、リピートの指示と範囲を指示するリピートキー５ｊ、メニュー画面の表示を指示するメニューキー５ｋ、タイトルメニュー画面の表示を指示するタイトルキー５ｌ、メニュー画面表示時の項目を選択する際に用いる上下左右のセレクトキー５ｍ等により構成されている。
【００６２】
図１に示す光ディスク装置の詳細な動作については、次に説明する光ディスク１０の論理フォーマットを参照して後により詳細に説明する。
【００６３】
図１に示される光ディスク１０のリードインエリア２７からリードアウトエリア２６までのデータ記録領域２８は、図７に示されるようなボリューム及びファイル構造を有している。この構造は、論理フォーマットとして特定の規格、例えば、マイクロＵＤＦ（ｍｉｃｒｏ  ＵＤＦ）及びＩＳＯ９６６０に準拠されて定められている。データ記録領域２８は、既に説明したように物理的に複数のセクタに分割され、その物理的セクタには、連続番号が付されている。下記の説明で論理アドレスは、マイクロＵＤＦ（ｍｉｃｒｏ  ＵＤＦ）及びＩＳＯ９６６０で定められるように論理セクタ番号（ＬＳＮ）を意味し、論理セクタは、物理セクタのサイズと同様に２０４８バイトであり、論理セクタの番号（ＬＳＮ）は、物理セクタ番号の昇順とともに連続番号が付加されている。
【００６４】
リードインエリア２７は、図８に示すように、再生開始時のエラー訂正用の２つのＥＣＣブロック（セクタ番号２Ｆ０００ｈ）が記述されているリファレンスコードエリア２７Ａと光ディスク１０のサイズや構造等の特徴データが記述されるコントロールデータエリア２７Ｂとを有している。コントロールデータエリア内には、データ記録領域２８のエンドセクタ番号が記述されているエンドセクタ番号エリア２７Ｃを有している。
【００６５】
図７に示されるようにこのボリューム及びファイル構造は、階層構造を有し、ボリューム及びファイル構造領域７０、ビデオマネージャー７１、少なくとも１以上のビデオタイトルセット７２及び他の記録領域７３を有している。これら領域は、論理セクタの境界上で区分されている。ここで、従来のＣＤと同様に１論理セクタは、２０４８バイトと定義されている。同様に、１論理ブロックも２０４８バイトと定義され、従って、１論理セクタは、１論理ブロックと定義される。
【００６６】
ファイル構造領域７０は、マイクロＵＤＦ及びＩＳＯ９６６０に定められる管理領域に相当し、この領域の記述を介してビデオマネージャー７１がシステムＲＯＭ／ＲＡＭ部５２に格納される。
【００６７】
ファイル構造領域７０には、マイクロＵＤＦとＩＳＯ９６６０の両方のプライマリーボリュームディスクリプターが記述されている。
【００６８】
マイクロＵＤＦのプライマリボリュームディスクリプタは、図９に示すように、ディスクリプタタグ、ボリュームディスクリプタシーケンス数、プライマリボリュームディスクリプタナンバー、ボリューム番号、ボリュームシーケンス数、最大ボリュームシーケンス数、インターチェンジレベル、最大インターチェンジレベル、キャラクタセットリスト、最大キャラクタセットリスト、ボリュームセット番号、ディスクリプタキャラクタセット、エクスプラナトリキャラクタセット、ボリュームアブストラクト、ボリュームコピーライト通知、アプリケーション番号、レコーディング日付と時間、インプレメーション番号、インプレメーションユース、プレディシサーボリュームディスクリプタシーケンスロケーション、フラグが記述されている。
【００６９】
ＩＳＯ９６６０のプライマリボリュームディスクリプタは、図１０に示すように、ディスクリプタタイプ、スタンダード番号、ボリュームディスクリプタバージョン、システム番号、ボリューム番号、ボリュームスペースサイズ、ボリュームセットサイズ、ボリュームシーケンス数、ロジカルブロック数、パーステーブルサイズ、タイプＬパーステーブル発生ロケーション、タイプＬパーステーブルオプション発生ロケーション、タイプＭパーステーブル発生ロケーション、タイプＭパーステーブルオプション発生ロケーション、ロットディレクトリによるディレクトリレコード、ボリュームセット番号、パブリッシャ番号、データプレパー番号、アプリケーション番号、コピーライトファイル番号、アブストラクトファイル番号、ビブリオグラフィックファイル番号、ボリュームクリエーション日付と時間、ボリュームモディフィケーション日付と時間、ボリュームエクスピィレーション日付と時間、ボリュームエフェクティブ日付と時間、ファイルストラクチャーバージョン、アプリケーションユースが記述されている。
【００７０】
ビデオマネージャー７１には、図１１を参照して説明するようにビデオタイトルセットを管理する情報が記述され、ファイル＃０から始まる複数のファイル７４から構成されている。また、各ビデオタイトルセット７２には、後に説明するように圧縮されたビデオデータ、オーディオデータ及び副映像データ及びこれらの再生情報が格納され、同様に複数のファイル７４から構成されている。ここで、複数のビデオタイトルセット７２は、最大９９個に制限され、また、各ビデオタイトルセット７２を構成するファイル７４（Ｆｉｌｅ＃ｊからＦｉｌｅ＃ｊ＋９）の数は、最大１０個に定められている。これらファイルも同様に論理セクタの境界で区分されている。
【００７１】
他の記録領域７３には、上述したビデオタイトルセット７２を利用可能な情報が記録されている。この他の記録領域７３は、必ずしも設けられなくとも良い。
【００７２】
図１１に示すようにビデオマネージャー７１は、夫々が各ファイル７４に相当する３つの項目を含んでいる。即ち、ビデオマネージャー７１は、ビデオマネージャー情報（ＶＭＧＩ）７５、ビデオマネージャー情報メニューの為のビデオオブジェクトセット（ＶＭＧＭ＿ＶＯＢＳ）７６及びビデオマネージャー情報のバックアップ（ＶＭＧＩ＿ＢＵＰ）７７から構成されている。ここで、ビデオマネージャー情報（ＶＭＧＩ）７５及びビデオマネージャー情報のバックアップ７７（ＶＭＧＩ＿ＢＵＰ）７７は、必須の項目とされ、ビデオマネージャー情報メニューの為のビデオオブジェクトセット（ＶＭＧＭ＿ＶＯＢＳ）７６は、オプションとされている。このＶＭＧＭ用のビデオオブジェクトセット（ＶＭＧＭ＿ＶＯＢＳ）７６には、ビデオマネージャー７１が管理する当該光ディスクのビデオに関するメニューのビデオデータ、オーディオデータ及び副映像データが格納されている。
【００７３】
このＶＭＧＭ用のビデオオブジェクトセット（ＶＭＧＭ＿ＶＯＢＳ）７６によって後に説明されるビデオの再生のように当該光ディスクのボリューム名、ボリューム名表示に伴う音声及び副映像の説明が表示されるとともに選択可能な項目が副映像で表示される。例えば、ＶＭＧＭ用のビデオオブジェクトセット（ＶＭＧＭ＿ＶＯＢＳ）７６によって当該光ディスクがあるボクサーのワールドチャンピョンに至るまでの試合を格納したビデオデータである旨、即ち、ボクサーＸの栄光の歴史等のボリューム名とともにボクサーＸのファイティングポーズがビデオデータで再生されるとともに彼のテーマソングが音声で表示され、副映像で彼の年表等が表示される。また、選択項目として試合のナレーションを英語、日本語等のいずれの言語を選択するかが問い合わされるとともに副映像で他の言語の字幕を表示するか、また、いずれの言語の字幕を選択するか否かが問い合わされる。このＶＭＧＭ用のビデオオブジェクトセット（ＶＭＧＭ＿ＶＯＢＳ）７６によってユーザは、例えば、音声は、英語で副映像として日本語の字幕を採用してボクサーＸの試合のビデオを鑑賞する準備が整うこととなる。
【００７４】
ここで、図１２を参照してビデオオブジェクトセット（ＶＯＢＳ）８２の構造について説明する。図１２は、ビデオオブジェクトセット（ＶＯＢＳ）８２の一例を示している。このビデオオブジェクトセット（ＶＯＢＳ）８２には、２つのメニュー用及びタイトル用として３つのタイプのビデオオブジェクトセット（ＶＯＢＳ）７６がある。即ち、ビデオオブジェクトセット（ＶＯＢＳ）８２は、後に説明するようにビデオタイトルセット（ＶＴＳ）７２中にビデオタイトルセットのメニュー用ビデオオブジェクトセット（ＶＴＳＭ＿ＶＯＢＳ）９５及び少なくとも１つ以上のビデオタイトルセットのタイトルの為のビデオオブジェクトセット（ＶＴＳＴＴ＿ＶＯＢＳ）９６があり、いずれのビデオオブジェクトセット８２もその用途が異なるのみで同様の構造を有している。
【００７５】
図１２に示すようにビデオオブジェクトセット（ＶＯＢＳ）８２は、１個以上のビデオオブジェクト（ＶＯＢ）８３の集合として定義され、ビデオオブジェクトセット（ＶＯＢＳ）８２中のビデオオブジェクト８３は、同一の用途の供される。通常、メニュー用のビデオオブジェクトセット（ＶＯＢＳ）８２は、１つのビデオオブジェクト（ＶＯＢ）８３で構成され、複数のメニュー用の画面を表示するデータが格納される。これに対してタイトルセット用のビデオオブジェクトセット（ＶＴＳＴＴ＿ＶＯＢＳ）８２は、通常、複数のビデオオブジェクト（ＶＯＢ）８３で構成される。
【００７６】
ここで、ビデオオブジェクト（ＶＯＢ）８３は、上述したボクシングのビデオを例にすれば、ボクサーＸの各試合の映像データに相当し、ビデオオブジェクト（ＶＯＢ）を指定することによって例えば、ワールドチャンピョンに挑戦する第１１戦をビデオで再現することができる。また、ビデオタイトルセット７２のメニュー用ビデオオブジェクトセット（ＶＴＳＭ＿ＶＯＢＳ）９５には、そのボクサーＸの試合のメニューデータが格納され、そのメニューの表示に従って、特定の試合、例えば、ワールドチャンピョンに挑戦する第１１戦を指定することができる。尚、通常の１ストーリの映画では、１ビデオオブジェクト（ＶＯＢ）８３が１ビデオオブジェクトセット（ＶＯＢＳ）８２に相当し、１ビデオストリームが１ビデオオブジェクトセット（ＶＯＢＳ）８２で完結することとなる。また、アニメ集、或いは、オムニバス形式の映画では、１ビデオオブジェクトセット（ＶＯＢＳ）８２中に各ストーリに対応する複数のビデオストリームが設けられ、各ビデオストリームが対応するビデオオブジェクトに格納されている。従って、ビデオストリームに関連したオーディオストリーム及び副映像ストリームも各ビデオオブジェクト（ＶＯＢ）８３中で完結することとなる。
【００７７】
ビデオオブジェクト（ＶＯＢ）８３には、識別番号（ＩＤＮ＃ｊ）が付され、この識別番号によってそのビデオオブジェクト（ＶＯＢ）８３を特定することができる。ビデオオブジェクト（ＶＯＢ）８３は、１又は複数のセル８４から構成される。通常のビデオストリームは、複数のセルから構成されることとなるが、メニュー用のビデオストリーム、即ち、ビデオオブジェクト（ＶＯＢ）８３は、１つのセル８４から構成される場合もある。同様にセルには、識別番号（Ｃ＿ＩＤＮ＃ｊ）が付され、このセル識別番号（Ｃ＿ＩＤＮ＃ｊ）によってセル８４が特定される。後に説明するアングルの変更時には、このセル番号を特定することによってアングルが変更される。
【００７８】
ここでアングルとは、映像の分野において見る角度を代えることを意味し、ボクシングの例では、同一のノックアウトの場面をチャンピョン側から見たシーン、挑戦者側から見たシーン、ジャッジの側から見たシーン等様々な角度からのシーンを見ることができることを意味する。アングルの選定は、ユーザーの好みに応じて選定することができる場合、或いは、ストーリーの流れの中で自動的に同一シーンがアングルを変えて繰り返される場合がある。また、アングルを選定する場合、同一シーンの始めに戻ってアングルが変わる場合、例えば、ボクサーがカウンターを入れる瞬間のシーンでアングルが変わり、再びカウンターが入る場合と、そのシーンに続くシーンでアングルが変わる場合、例えば、ボクサーがカウンターを入れた後のパンチが入った瞬間にアングルが変わる場合とがある。いずれのアングルの変更も実現できるように後に詳述するナビゲーションパック８６がビデオオブジェクトユニット（ＶＯＢＵ）８３中に設けられている。
【００７９】
図１２に示すように各セル８４は、１又は複数のビデオオブジェクトユニット（ＶＯＢＵ）８５、通常は、複数のビデオオブジェクトユニット（ＶＯＢＵ）８５から構成される。ここで、ビデオオブジェクトユニット（ＶＯＢＵ）８５は、１つのナビゲーションパック（ＮＶパック）８６を先頭に有するパック列として定義される。即ち、ビデオオブジェクトユニット（ＶＯＢＵ）８５は、あるナビゲーションパック８６から次のナビゲーションパックの直前まで記録される全パックの集まりとして定義される。このビデオオブジェクトユニット（ＶＯＢＵ）の再生時間は、図１３に示すようにビデオオブジェクトユニット（ＶＯＢＵ）中に含まれる単数又は複数個のＧＯＰから構成されるビデオデータの再生時間に相当し、その再生時間は、０．４秒以上であって１秒より大きくならないように定められる。ＭＰＥＧでは、１ＧＯＰは、通常０．５秒であってその間に１５枚程度の画像が再生する為の圧縮された画面データであると定められている。
【００８０】
図１２に示すようにビデオオブジェクトユニットがビデオデータを含む場合には、ＭＰＥＧ規格に定められたビデオパック（Ｖパック）８８、副映像パック（ＳＰパック）９０及びオーディオパック（Ａパック）９１から構成されるＧＯＰが配列されてビデオデータストリームが構成されるが、このＧＯＰの数とは、無関係にＧＯＰの再生時間を基準にしてビデオオブジェクト（ＶＯＢＵ）８３が定められ、その先頭には、常にナビゲーションパック（ＮＶパック）８６が配列される。また、オーディオ及び／又は副映像データのみの再生データにあってもこのビデオオブジェクトユニットを１単位として再生データが構成される。即ち、オーディオパックのみでビデオオブジェクトユニットが構成されても、ビデオデータのビデオオブジェクトと同様にそのオーディオデータが属するビデオオブジェクトユニットの再生時間内に再生されるべきオーディオパックがそのビデオオブジェクトユニットに格納される。これらパックの再生の手順に関しては、ナビゲーションパック（ＮＶパック）８６とともに後に詳述する。
【００８１】
再び図１１を参照してビデオマネージャー７１について説明する。ビデオマネージャー７１の先頭に配置されるビデオ管理情報７５は、タイトルをサーチする為の情報、ビデオマネージャーメニューの再生の為の情報のようなビデオタイトルセット（ＶＴＳ）７２を管理する情報が記述され、図１１に示す順序で少なくとも５つのテーブル７８、７９、８０、８１、１３０が記録されている。この各テーブル７８、７９、８０、８１、１３０は、論理セクタの境界に一致されている。第１のテーブルであるビデオ管理情報管理テーブル（ＶＭＧＩ＿ＭＡＴ）７８は、必須のテーブルであってビデオマネージャー７１のサイズ、このビデオマネージャー７１中の各情報のスタートアドレス、ビデオマネージャヤーメニュー用のビデオオブジェクトセット（ＶＭＧＭ＿ＶＯＢＳ）７６に関する属性情報等が記述されている。
【００８２】
また、ビデオマネージャー７１の第２のテーブルであるタイトルサーチポインターテーブル（ＴＴ＿ＳＲＰＴ）７９には、装置のキー及び表示部４からのタイトル番号の入力あるいはリモートコントローラ５によるタイトル番号の選択に応じて選定可能な当該光ディスク１０中のボリュームに含まれるビデオタイトルのエントリープログラムチェーン（ＥＰＧＣ）が記載されている。
【００８３】
ここで、プログラムチェーン８７とは、図１３に示すようにあるタイトルのストーリーを再現するプログラム８９の集合であってプログラムチェーンが連続して再現されることによってある１タイトルの映画が完結される。従って、ユーザーは、プログラムチェーン８７内のプログラム８９を指定することによって映画の特定のシーンからその映画を鑑賞することができる。
【００８４】
ビデオマネージャー７１の第３のテーブルであるビデオタイトルセット属性テーブル（ＶＴＳ＿ＡＴＲＴ）８０には、当該光ディスクのボリューム中のビデオタイトルセット（ＶＴＳ）７２に定められた属性情報が記載される。即ち、属性情報としてビデオタイトルセット（ＶＴＳ）７２の数、ビデオタイトルセット（ＶＴＳ）７２の番号、ビデオの属性、例えば、ビデオデータの圧縮方式等、オーディオストリームの属性、例えば、オーディオの符号化モード等、副映像の属性、例えば、副映像の表示タイプ等がこのテーブルに記載されている。
【００８５】
ビデオマネージャー７１の第４のテーブルであるビデオマネージャーメニューＰＧＣＩユニットテーブル（ＶＭＧＭ＿ＰＧＣＩ＿ＵＴ）８１には、ビデオマネージャーメニュー用のビデオオブジェクトセット（ＶＭＧＭ＿ＶＯＢＳ）７６に関する情報が記載される。
【００８６】
ビデオマネージャーメニューＰＧＣＩユニットテーブル（ＶＭＧＭ＿ＰＧＣＩ＿ＵＴ）８１は、ビデオマネージャーメニュー用のビデオオブジェクトセット（ＶＭＧＭ＿ＶＯＢＳ）７６にビデオマネージャーメニュー（ＶＭＧＭ）が存在する際には、必須のテーブルである。
【００８７】
ビデオマネージャー７１の第５のテーブルであるパレンタルマネージャー情報テーブル（ＰＴＬ＿ＭＡＩＴ）１３０には、パレンタルに関する情報が記載される。
【００８８】
パレンタルマネージャー情報テーブル（ＰＴＬ＿ＭＡＩＴ）１３０は、オプションのテーブルである。
【００８９】
ビデオ管理情報管理テーブル（ＶＭＧＩ＿ＭＡＴ）７８及びタイトルサーチポインターテーブル（ＴＴ＿ＳＲＰＴ）７９に記載の記述内容の詳細について、図１４、図１５、図１６及び図１７を参照して次に説明する。
【００９０】
図１４に示すようにビデオ管理情報管理テーブル（ＶＭＧＩ＿ＭＡＴ）７８には、ビデオマネージャー７１の識別子（ＶＭＧ＿ＩＤ）、論理ブロック（既に説明したように１論理ブロックは、２０４８バイト）の数でビデオ管理情報のサイズ（ＶＭＧＩ＿ＳＺ）、当該光ディスク、通称、ディジタルバーサタイルディスク（ディジタル多用途ディスク：以下、単にＤＶＤと称する。）の規格に関するバージョン番号（ＶＥＲＮ）及びビデオマネージャー７１のカテゴリー（ＶＭＧ＿ＣＡＴ）が記載されている。
【００９１】
ここで、ビデオマネージャー７１のカテゴリー（ＶＭＧ＿ＣＡＴ）には、このＤＶＤビデオデイレクトリーがコピーを禁止であるか否かのフラグ等が記載される。また、このテーブル（ＶＭＧＩ＿ＭＡＴ）７８には、ビデオセットの識別子（ＶＬＭＳ＿ＩＤ）、ビデオタイトルセットの数（ＶＴＳ＿Ｎｓ）、このディスクに記録されるデータの供給者の識別子（ＰＶＲ＿ＩＤ）、ビデオマネージャーメニューの為のビデオオブジェクトセット（ＶＭＧＭ＿ＶＯＢＳ）７６のスタートアドレス（ＶＮＧＭ＿ＶＯＢＳ＿ＳＡ）、ビデオマネージャー情報の管理テーブル（ＶＭＧＩ＿ＭＡＴ）７８の終了アドレス（ＶＭＧＩ＿ＭＡＴ＿ＥＡ）、タイトルサーチポインターテーブル（ＴＴ＿ＳＲＰＴ）７９のスタートアドレス（ＴＴ＿ＳＲＰＴ＿ＳＡ）が記載されている。また、このテーブル７８には、ビデオマネージャーメニューＰＧＣＩユニットテーブル（ＶＭＧＭ＿ＰＧＣＩ＿ＵＴ）８１のスタートアドレス（ＶＭＧＭ＿ＰＧＣＩ＿ＵＴ＿ＳＡ）が記載されている。ビデオマネージャーメニューＰＧＣＩユニットテーブル（ＶＭＧＭ＿ＰＧＣＩ＿ＵＴ）８１がない場合には、その開始アドレスには、“００００００００ｈ”が記載される。ＶＭＧＩ＿ＭＡＴ７８の終了アドレス（ＶＭＧＩ＿ＭＡＴ＿ＥＡ）及びＴＴ＿ＳＲＰＴ７９のスタートアドレス（ＴＴ＿ＳＲＰＴ＿ＳＡ）は、先頭の論理ブロックからの相対的な論理ブロック数で記載されている。
【００９２】
更に、このテーブル７８には、ビデオタイトルセット（ＶＴＳ）７２の属性テーブル（ＶＴＳ＿ＡＴＲＴ）８０のスタートアドレス（ＶＴＳ＿ＡＴＲＴ＿ＳＡ）がＶＭＧＩマネージャーテーブル（ＶＭＧＩ＿ＭＡＴ）７１の先頭バイトからの相対的なバイト数で記載され、ビデオマネージャーメニュー（ＶＭＧＭ）のビデオ属性（ＶＭＧＭ＿Ｖ＿ＡＴＲ）が記載されている。更にまた、このテーブル７８には、ビデオマネージャーメニュー（ＶＭＧＭ）のオーディオストリームの数（ＶＭＧＭ＿ＡＳＴ＿Ｎｓ）、ビデオマネージャーメニュー（ＶＭＧＭ）のオーディオストリームの属性（ＶＭＧＭ＿ＡＳＴ＿ＡＴＲ）、ビデオマネージャーメニュー（ＶＭＧＭ）の副映像ストリームの数（ＶＭＧＭ＿ＳＰＳＴ＿Ｎｓ）及びビデオマネージャーメニュー（ＶＭＧＭ）の副映像ストリームの属性（ＶＭＧＭ＿ＳＰＳＴ＿ＡＴＲ）が記載されている。
【００９３】
タイトルサーチポインターテーブル（ＴＴ＿ＳＲＰＴ）７９には、図１５に示すように始めにタイトルサーチポインターテーブルの情報（ＴＴ＿ＳＲＰＴＩ）９２が記載され、次に入力番号１からｎ（ｎ≦９９）に対するタイトルサーチポインタ（ＴＴ＿ＳＲＰ）が必要な数だけ連続的に記載されている。この光ディスクのボリューム中に１タイトルの再生データ、例えば、１タイトルのビデオデータしか格納されていない場合には、１つのタイトルサーチポインタ（ＴＴ＿ＳＲＰ）９３しかこのテーブル（ＴＴ＿ＳＲＰＴ）７９に記載されない。
【００９４】
タイトルサーチポインターテーブル情報（ＴＴ＿ＳＲＰＴＩ）９２には、図１６に示されるようにタイトルサーチポインタの数（ＴＴ＿Ｎｓ）及びタイトルサーチポインターテーブル（ＴＴ＿ＳＲＰＴ）７９の終了アドレス（ＴＴ＿ＳＲＰＴ＿ＥＡ）が記載されている。このアドレス（ＴＴ＿ＳＲＰＴ＿ＥＡ）は、このタイトルサーチポインタテーブル（ＴＴ＿ＳＲＰＴ）７９の先頭バイトからの相対的なバイト数で記載される。また、図１７に示すように各タイトルサーチポインタ（ＴＴ＿ＳＲＰ）には、チャプタ数（プログラム数）としてのパートオブタイトル数（ＰＴＴ＿Ｎｓ）、ビデオタイトルセット番号（ＶＴＳＮ）、ビデオタイトルセット７２のタイトル番号（ＶＴＳ＿ＴＴＮ）及びビデオタイトルセット７２のスタートアドレス（ＶＴＳ＿ＳＡ）が記載されている。
【００９５】
このタイトルサーチポインタ（ＴＴ＿ＳＲＰ）９３の内容によって再生されるビデオタイトルセット（ＶＴＳ）７２が特定されるとともにそのビデオタイトルセット７２の格納位置が特定される。ビデオタイトルセット７２のスタートアドレス（ＶＴＳ＿ＳＡ）は、ビデオタイトルセット番号（ＶＴＳＮ）で指定されるタイトルセットを論理ブロック数で記載される。
【００９６】
ビデオマネージャーメニューＰＧＣＩユニットテーブル（ＶＭＧＭ＿ＰＧＣＩ＿ＵＴ）８１に記載の記述内容の詳細について、図１８、図１９、図２０、図２１、図２２及び図２３を参照して次に説明する。
【００９７】
図１８に示すビデオマネージャーメニューＰＧＣＩユニットテーブル（ＶＭＧＭ＿ＰＧＣＩ＿ＵＴ）８１は、ビデオマネージャーメニュー用のビデオオブジェクトセット（ＶＭＧＭ＿ＶＯＢＳ）７６が設けられる場合には、必須項目とされ、各言語毎に設けられたビデオマネージャーメニュー（ＶＭＧＭ）を再現するためのプログラムチェーンについての情報が記述されている。このビデオマネージャーメニューＰＧＣＩユニットテーブル（ＶＭＧＭ＿ＰＧＣＩ＿ＵＴ）８１を参照することによってビデオオブジェクトセット（ＶＭＧＭ＿ＶＯＢＳ）７６中の指定した言語のプログラムチェーンを獲得してメニューとして再現することができる。
【００９８】
このビデオマネージャーメニューＰＧＣＩユニットテーブル（ＶＭＧＭ＿ＰＧＣＩ＿ＵＴ）８１は、図１８に示すようにビデオマネージャーメニューＰＧＣＩユニットテーブル情報（ＶＭＧＭ＿ＰＧＣＩ＿ＵＴＩ）８１Ａ、ｎ個のビデオマネージャーメニュー言語ユニットサーチポインタ（ＶＭＧＭ＿ＬＵ＿ＳＲＰ）８１Ｂ、ｎ個のビデオマネージャーメニュー言語ユニット（ＶＭＧＭ＿ＬＵ）８１Ｃから構成され、その順序で記述されている。
【００９９】
ビデオマネージャーメニューＰＧＣＩユニットテーブル情報（ＶＭＧＭ＿ＰＧＣＩ＿ＵＴＩ）８１Ａには、このテーブル８１の情報が記述され、ビデオマネージャーメニューＰＧＣＩユニットサーチポインタ（ＶＭＧＭ＿ＬＵ＿ＳＲＰ）８１Ｂには、＃１から＃ｎまでのビデオマネージャーメニューに対応した順序で記述され、言語コードが記述がされているとともに＃１から＃ｎまでのビデオマネージャーメニューに対応した順序で記述されたビデオマネージャーメニュー言語ユニット（ＶＭＧＭ＿ＬＵ）８１Ｃを検索するポインタに関する記述がされている。また、ビデオマネージャーメニュー言語ユニット（ＶＭＧＭ＿ＬＵ）８１Ｃの夫々には、対応するビデオマネージャーメニューのプログラムチェーンのカテゴリーと開始アドレスが記述されている。
【０１００】
より詳細には、ビデオマネージャーメニューＰＧＣＩユニットテーブル情報（ＶＭＧＭ＿ＰＧＣＩ＿ＵＴＩ）８１Ａには、図１９に示すように、ビデオマネージャーメニュー言語ユニット（ＶＭＧＭ＿ＬＵ）８１Ｃの数がパラメータ（ＶＭＧＭ＿ＬＵ＿Ｎｓ）として記載され、また、ビデオマネージャーメニュー言語ユニット（ＶＭＧＭ＿ＬＵ）８１Ｃの終了アドレスがパラメータ（ＶＭＧＭ＿ＰＧＣＩ＿ＵＴ＿ＥＡ）として記載されている。また、図２０に示すように、ビデオマネージャーメニューＰＧＣＩユニットサーチポインタ（ＶＭＧＭ＿ＬＵ＿ＳＲＰ）８１Ｂには、ビデオマネージャーメニュー言語コードがパラメータ（ＶＭＧＭ＿ＬＣＤ）として記載され、また、ビデオマネージャーメニュー言語ユニット（ＶＭＧＭ＿ＬＵ）８１Ｃの開始アドレスがパラメータ（ＶＭＧＭ＿ＬＵ＿ＳＡ）として記述されている。更に、ビデオマネージャーメニュー言語ユニット（ＶＭＧＭ＿ＬＵ）８１Ｃには、図２１に示すようにこのビデオマネージャーメニュー言語ユニット情報（ＶＭＧＭ＿ＬＵＩ）８１Ｄ、ビデオマネージャーメニューＰＧＣ情報サーチポイント（ＶＭＧＭ＿ＰＧＣＩ＿ＳＲＰ）８１Ｅ、ビデオマネージャーメニューＰＧＣ情報（ＶＭＧＭ＿ＰＧＣＩ）８１Ｆから構成され、その順序で記述されている。ビデオマネージャーメニュー言語ユニット情報（ＶＭＧＭ＿ＬＵＩ）８１Ｄには、このテーブル８１Ｃの情報が記述され、（ＶＭＧＭ＿ＰＧＣＩ＿ＳＲＰ）８１Ｅには、＃１から＃ｎまでのビデオマネージャーメニューに対応した順序で記述され、ビデオマネージャーメニューのプログラムチェーンのカテゴリーが記述がされているとともに＃１から＃ｎまでのビデオマネージャーメニューに対応した順序で記述されたビデオマネージャーメニューＰＧＣ情報サーチ情報（ＶＭＧＭ＿ＰＧＣＩ）８１Ｆを検索するポインタに関する記述がされている。
【０１０１】
ビデオマネージャーメニューＰＧＣ情報サーチ情報（ＶＭＧＭ＿ＰＧＣＩ）８１Ｆは、ビデオマネージャーメニューのプログラムチェーンに関する情報、即ち、ＶＭＧＭプログラムチェーン情報（ＶＭＧＭ＿ＰＧＣＩ）を記述している。
【０１０２】
より詳細には、ビデオマネージャーメニュー言語ユニット情報（ＶＭＧＭ＿ＬＵＩ）８１Ｄには、図２２に示すように、ＶＭＧＭプログラムチェーン情報（ＶＭＧＭ＿ＰＧＣＩ）８１Ｆの数がパラメータ（ＶＭＧＭ＿ＰＧＣＩ＿Ｎｓ）として記載され、また、ビデオマネージャーメニュー言語ユニット情報（ＶＭＧＭ＿ＬＵＩ）８１Ｄの終了アドレスがパラメータ（ＶＭＧＭ＿ＬＵＩ＿ＥＡ）として記載されている。また、図２３に示すように、ビデオマネージャーメニューＰＧＣ情報サーチポイント（ＶＭＧＭ＿ＰＧＣＩ＿ＳＲＰ）８１Ｅには、ビデオマネージャーメニューのプログラムチェーンのカテゴリーがパラメータ（ＶＭＧＭ＿ＰＧＣ＿ＣＡＴ）として記載され、またＶＭＧＭプログラムチェーン情報（ＶＭＧＭ＿ＰＧＣＩ）８１Ｆの開始アドレスがパラメータ（ＶＭＧＭ＿ＰＧＣＩ＿ＳＡ）として記載されている。
【０１０３】
ビデオマネージャーメニューのプログラムチェーンのカテゴリー（ＶＭＧＭ＿ＰＧＣ＿ＣＡＴ）には、このＰＧＣがエントリーされているか否かを示すフラグ、およびメニューかを示すメニューＩＤが記述されている。このメニューＩＤとしては、“００１０”が記述される場合、タイトルメニューを意味している。
【０１０４】
パレンタルマネージャー情報テーブル（ＰＴＬ＿ＭＡＩＴ）１３０は、図２４に示すように、パレンタルマネージャー情報テーブル情報（ＰＴＬ＿ＭＡＩＴＩ）１３０Ａ、ｎ個のパレンタルマネージャー情報サーチポインタ（ＰＴＬ＿ＭＡＩ＿ＳＲＰ）１３０Ｂ、ｎ個のパレンタルマネージャー情報（ＰＴＬ＿ＭＡＩ）１３０Ｃ、ｎ個のパレンタルレベルネーム（ＰＴＬ＿ＬＶＬ＿ＮＭＩ）１３０Ｄから構成され、その順序で記述されている。
【０１０５】
パレンタルマネージャー情報テーブル情報（ＰＴＬ＿ＭＡＩＴＩ）１３０Ａには、このテーブル１３０の情報が記述されている。パレンタルマネージャー情報サーチポインタ（ＰＴＬ＿ＭＡＩ＿ＳＲＰ）１３０Ｂには、＃１から＃ｎまでのパレンタルマネージャー情報に対応した順序で記述された、パレンタルマネージャー情報（ＰＴＬ＿ＭＡＩ）１３０Ｃを検索するポインタに関する記述がされている。パレンタルマネージャー情報（ＰＴＬ＿ＭＡＩ）１３０Ｃには、パレンタルレベル情報（ＰＴＬ＿ＬＶＬＩ）が記述されている。パレンタルレベルネーム（ＰＴＬ＿ＬＶＬ＿ＮＭＩ）１３０Ｄには、パレンタルマネージャー情報（ＰＴＬ＿ＭＡＩ）１３０Ｃのパレンタルレベル情報（ＰＴＬ＿ＬＶＬＩ）に合わせてそれぞれつけることができる名前（パレンタルレベルネーム）が記述されている。  より詳細には、パレンタルマネージャー情報テーブル情報（ＰＴＬ＿ＭＡＩＴＩ）１３０Ａには、図２５に示すように、ＶＭＧＩ内の異なるパレンタルシステムの国の数がパラメータ（ＣＴＹ＿Ｎｓ）として記載され、また、ビデオタイトルセットの数がパラメータ（ＶＴＳ＿Ｎｓ）として記載され、また、パレンタルマネージャー情報テーブル１３０の終了アドレスがパラメータ（ＰＴＬ＿ＭＡＩＴ＿ＥＡ）として記載されている。
【０１０６】
パレンタルマネージャー情報サーチポインタ（ＰＴＬ＿ＭＡＩ＿ＳＲＰ）１３０Ｂには、図２６に示すように、国コードがパラメータ（ＣＴＹ＿ＣＤ）として記載され、パレンタルレベルの数がパラメータ（ＰＴＬ＿ＬＶＬ＿Ｎｓ）として記載され、パレンタルマネージャー情報のスタートアドレスがパラメータ（ＰＴＬ＿ＭＡＩ＿ＳＡ）として記載され、パレンタルレベルネームのスタートアドレスがパラメータ（ＰＴＬ＿ＬＶＬ＿ＮＭＩ＿ＳＡ）として記載されている。
【０１０７】
パレンタルマネージャー情報（ＰＴＬ＿ＭＡＩ）１３０Ｃには、図２７に示すように、パレンタルレベル情報（ＰＴＬ＿ＬＶＬＩ）が記載されている。パレンタルレベル情報（ＰＴＬ＿ＬＶＬＩ）には、図２８に示すように、ビデオマネージャーのパレンタルＩＤフィールド（ＰＴＬ＿ＩＤ＿ＦＬＤ＿ＶＭＧ）とｍ個のビデオタイトルセットのパレンタルＩＤフィールド（ＰＴＬ＿ＩＤ＿ＦＬＤ＿ＶＴＳ）とが記載されている。
【０１０８】
ビデオマネージャーのパレンタルＩＤフィールド（ＰＴＬ＿ＩＤ＿ＦＬＤ＿ＶＭＧ）、ビデオタイトルセットのパレンタルＩＤフィールド（ＰＴＬ＿ＩＤ＿ＦＬＤ＿ＶＴＳ）には、図２９に示すように、パレンタルＩＤフィールドのプログラムチェーンに関する情報（ＰＴＬ＿ＩＤ＿ＦＬＤ）が記述されている。
【０１０９】
この（ＰＴＬ＿ＩＤ＿ＦＬＤ）は、図３０に示すように、１６ビットのＰＴＬ＿ＩＤにより構成されている。この１６ビットのＰＴＬ＿ＩＤにより、図３１に示すように、８つのパレンタルレベルが表現できるようになっている。図３１の場合には、パレンタルレベル８〜６が共通で、パレンタルレベル４〜１が共通となっており、３段階のパレンタルが設定されている。
【０１１０】
パレンタルレベルネーム（ＰＴＬ＿ＬＶＬ＿ＮＭＩ）１３０Ｄには、図３２に示すように、パレンタルレベルネーム（ＰＴＬ＿ＬＶＬ＿ＮＭ）で使用するキャラクタを指定するキャラクタセット（ＣＨＲＳ）と、パレンタルレベルに対応する名前としてのパレンタルレベルネーム（ＰＴＬ＿ＬＶＬ＿ＮＭ）が記述されている。
【０１１１】
次に、図７に示されたビデオタイトルセット（ＶＴＳ）７２の論理フォーマットの構造について図３３を参照して説明する。各ビデオタイトルセット（ＶＴＳ）７２には、図３３に示すようにその記載順に４つの項目９４、９５、９６、９７が記載されている。また、各ビデオタイトルセット（ＶＴＳ）７２は、共通の属性を有する１又はそれ以上のビデオタイトルから構成され、このビデオタイトル７２についての管理情報、例えば、エントリーサーチポイントの為の情報、ビデオオブジェクトセット９６を再生する為の情報、タイトルセットメニュー（ＶＴＳＭ）を再生する為の情報及びビデオタイトルセット７２の属性情報がビデオタイトルセット情報（ＶＴＳＩ）に記載されている。
【０１１２】
このビデオタイトルセット情報（ＶＴＳＩ）９４のバックアップ（ＶＴＳＩ＿ＢＵＰ）９７がビデオタイトルセット（ＶＴＳ）７２に設けられている。ビデオタイトルセット情報（ＶＴＳＩ）９４とこの情報のバックアップ（ＶＴＳＩ＿ＢＵＰ）９７との間には、ビデオタイトルセットメニュー用のビデオオブジェクトセット（ＶＴＳＭ＿ＶＯＢＳ）９５及びビデオタイトルセットタイトル用のビデオオブジェクトセット（ＶＴＳＴＴ＿ＶＯＢＳ）９６が配置されている。いずれのビデオオブジェクトセット（ＶＴＳＭ＿ＶＯＢＳ及びＶＴＳＴＴ＿ＶＯＢＳ）９５、９６は、既に説明したように図１２に示す構造を有している。
【０１１３】
ビデオタイトルセット情報（ＶＴＳＩ）９４、この情報のバックアップ（ＶＴＳＩ＿ＢＵＰ）９７及びビデオタイトルセットタイトル用のビデオオブジェクトセット（ＶＴＳＴＴ＿ＶＯＢＳ）９６は、ビデオタイトルセット７２にとって必須の項目され、ビデオタイトルセットメニュー用のビデオオブジェクトセット（ＶＴＳＭ＿ＶＯＢＳ）９５は、必要に応じて設けられるオプションとされている。
【０１１４】
ビデオタイトルセット情報（ＶＴＳＩ）９４は、図３３に示すように５つのテーブル９８、９９、１００、１０１、１１１から構成され、５つのテーブル９８、９９、１００、１０１、１１１は、論理セクタ間の境界に一致されている。第１のテーブルであるビデオタイトルセット情報管理テーブル（ＶＴＳＩ＿ＭＡＴ）９８は、必須のテーブルであってビデオタイトルセット（ＶＴＳ）７２のサイズ、ビデオタイトルセット（ＶＴＳ）７２中の各情報の開始アドレス及びビデオタイトルセット（ＶＴＳ）７２中のビデオオブジェクトセット（ＶＯＢＳ）８２の属性が記述されている。
【０１１５】
第２のテーブルであるビデオタイトルセットダイレクトアクセスポインタテーブル（ＶＴＳ＿ＰＴＴ＿ＳＲＰＴ）９９は、必要に応じて設けられるオプションのテーブルであって、装置のキー操作／表示部４からのタイトル番号の入力あるいはリモートコントローラ５によるタイトル番号の選択に応じて選定可能な当該ビデオタイトルセット７２中に含まれるプログラムチェーン（ＰＧＣ）及び又はプログラム（ＰＧ）が記載されている。
【０１１６】
第３のテーブルであるビデオタイトルセットプログラムチェーン情報テーブル（ＶＴＳ＿ＰＧＣＩＴ）１００は、必須のテーブルであってＶＴＳプログラムチェーン情報（ＶＴＳ＿ＰＧＣＩ）を記述している。
【０１１７】
第４のテーブルであるビデオタイトルセットタイムサーチマップテーブル（ＶＴＳ＿ＭＡＰＴ）１０１は、必要に応じて設けられるオプションのテーブルであって表示の一定時間に対するこのマップテーブル（ＶＴＳ＿ＭＡＰＴ）１０１が属するタイトルセット７２の各プログラムチェーン（ＰＧＣ）内のビデオデータの記録位置に関する情報が記述されている。
【０１１８】
第５のテーブルであるビデオタイトルセットメニューＰＧＣＩユニットテーブル（ＶＴＳＭ＿ＰＧＣＩ＿ＵＴ）１１１は、ビデオタイトルセットメニュー用のビデオオブジェクトセット（ＶＴＳＭ＿ＶＯＢＳ）９５が設けられる場合には、必須項目とされ、各言語毎に設けられたビデオタイトルセットメニュー（ＶＴＳＭ）を再現するためのプログラムチェーンについての情報が記述されている。このビデオタイトルセットメニューＰＧＣＩユニットテーブル（ＶＴＳＭ＿ＰＧＣＩ＿ＵＴ）１１１を参照することによってビデオオブジェクトセット（ＶＴＳＭ＿ＶＯＢＳ）９５中の指定した言語のプログラムチェーンを獲得してメニューとして再現することができる。
【０１１９】
次に、図３３に示したビデオタイトル情報マネージャーテーブル（ＶＴＳＩ＿ＭＡＴ）９８及びビデオタイトルセットプログラムチェーン情報テーブル（ＶＴＳ＿ＰＧＣＩＴ）１００について図３４から図５５を参照して説明する。
【０１２０】
図３４は、ビデオタイトル情報マネージャーテーブル（ＶＴＳＩ＿ＭＡＴ）９８の記述内容を示している。このテーブル（ＶＴＳＩ＿ＭＡＴ）９８には、記載順にビデオタイトルセット識別子（ＶＴＳ＿ＩＤ）、ビデオタイトル情報のサイズ（ＶＴＳＩ＿ＳＺ）、このＤＶＤビデオ規格のバージョン番号（ＶＥＲＮ）、タイトルセット７２の属性（ＶＴＳ＿ＣＡＴ）が記載される。また、このテーブル（ＶＴＳＩ＿ＭＡＴ）９８には、ＶＴＳメニュー（ＶＴＳＭ）のビデオオブジェクトセット（ＶＴＳＭ＿ＶＯＢＳ）９５の開始アドレス（ＶＴＳＭ＿ＶＯＢＳ＿ＳＡ）がこのビデオタイトルセット（ＶＴＳ）７２の先頭論理ブロックからの相対論理ブロック（ＲＬＢＮ）で記述され、ビデオタイトルセット（ＶＴＳ）におけるタイトルの為のビデオオブジェクトセットのスタートアドレス（ＶＴＳＴＴ＿ＶＯＢＳ＿ＳＡ）がこのビデオタイトルセット（ＶＴＳ）７２の先頭論理ブロックからの相対論理ブロック（ＲＬＢＮ）で記述される。
【０１２１】
更に、このテーブル（ＶＴＳＩ＿ＭＡＴ）９８には、ビデオタイトルセット情報管理テーブル（ＶＴＳＩ＿ＭＡＴ）９８の終了アドレス（ＶＴＳＩ＿ＭＡＴ＿ＥＡ）がそのテーブル（ＶＴＳＩ＿ＭＡＴ）９８の先頭バイトからの相対ブロック数で記載され、ビデオタイトルセットダイレクトアクセスポインタテーブル（ＶＴＳ＿ＰＴＴ＿ＳＲＰＴ）９９のスタートアドレス（ＶＴＳ＿ＳＲＰＴ＿ＳＡ）がビデオタイトルセット情報（ＶＴＳＩ）９４の先頭バイトからの相対ブロック数で記載されている。
【０１２２】
更にまた、このテーブル（ＶＴＳＩ＿ＭＡＴ）９８には、ビデオタイトルセットプログラムチェーン情報テーブル（ＰＧＣＩＴ）１００のスタートアドレス（ＶＴＳ＿ＰＧＣＩＴ＿ＳＡ）がビデオタイトルセット情報（ＶＴＳＩ）９４の先頭バイトからの相対ブロック数で記載され、ビデオタイトルセット（ＶＴＳ）のタイムサーチマップ（ＶＴＳ＿ＴＭＡＰＴ）１０１のスタートアドレス（ＶＴＳ＿ＴＭＡＰＴ＿ＳＡ）がこのビデオタイトルセット（ＶＴＳ）７２の先頭論理セクタからの相対論理セクタで記述される。このテーブル（ＶＴＳＩ＿ＭＡＴ）９８には、ビデオタイトルセットメニューＰＧＣＩユニットテーブル（ＶＴＳＭ＿ＰＧＣＩ＿ＵＴ）のスタートアドレス（ＶＴＳＭ＿ＰＧＣＩ＿ＵＴ＿ＳＡ）がビデオタイトルセット情報（ＶＴＳＩ）９４の先頭バイトからの相対ブロック数で記載されている。ビデオマネージャーメニューＰＧＣＩユニットテーブル（ＶＭＧＭ＿ＰＧＣＩ＿ＵＴ）８１がない場合には、その開始アドレスには、“００００００００ｈ”が記載される。
【０１２３】
このテーブル（ＶＴＳＩ＿ＭＡＴ）９８には、ビデオタイトルセット（ＶＴＳ）７２中のビデオタイトルセットメニュー（ＶＴＳＭ）の為のビデオオブジェクトセット（ＶＴＳＭ＿ＶＯＢＳ）９５及びビデオタイトルセット（ＶＴＳ）のタイトル（ＶＴＳＴＴ）の為のビデオオブジェクトセット（ＶＴＳＴ＿ＶＯＢＳ）９６のビデオ属性（ＶＴＳ＿Ｖ＿ＡＴＲ）及びこのビデオタイトルセット（ＶＴＳ）７２中のビデオタイトルセットのタイトル（ＶＴＳＴＴ）の為のビデオオブジェクトセット（ＶＴＳＴＴ＿ＶＯＢＳ）９６のオーディオストリームの数（ＶＴＳ＿ＡＳＴ＿Ｎｓ）が記載されている。
【０１２４】
ここで、ビデオ属性（ＶＴＳ＿Ｖ＿ＡＴＲ）には、ビデオの圧縮モード、ＴＶシステムのフレームレート及び表示装置に表示する際の表示のアスペクト比等が記載されている。
【０１２５】
テーブル（ＶＴＳＩ＿ＭＡＴ）９８には、ビデオタイトルセット（ＶＴＳ）７２中のビデオタイトルセット（ＶＴＳ）７２のタイトル（ＶＴＳＴＴ）の為のビデオオブジェクトセット（ＶＴＳＴ＿ＶＯＢＳ）９６のオーディオストリーム属性（ＶＴＳ＿ＡＳＴ＿ＡＴＲ）が記載されている。この属性（ＶＴＳ＿ＡＳＴ＿ＡＴＲ）には、どのようにオーディオを符号化したかを記載したオーディオの符号化モード、オーディオの量子化を何ビットで実行したか、オーディオのチャネル数、オーディオの言語コード等が記載される。更に、テーブル（ＶＴＳＩ＿ＭＡＴ）９８には、ビデオタイトルセット（ＶＴＳ）７２中のこのタイトル（ＶＴＳＴＴ）の為のビデオオブジェクトセット（ＶＴＳＴ＿ＶＯＢＳ）９６の副映像ストリームの数（ＶＴＳ＿ＳＰＳＴ＿Ｎｓ）及び各副映像ストリームの属性（ＶＴＳ＿ＳＰＳＴ＿ＡＴＲ）が記載されている。この各副映像ストリームの属性（ＶＴＳ＿ＳＰＳＴ＿ＡＴＲ）には、副映像の符号化モード及び副映像の表示タイプ、副映像の言語コード等が記載される。
【０１２６】
また、このテーブル（ＶＴＳＩ＿ＭＡＴ）９８には、ビデオタイトルセットメニュー（ＶＴＳＭ）のオーディオストリーム数（ＶＴＳＭ＿ＡＳＴ＿Ｎｓ）、オーディオストリーム属性（ＶＴＳＭ＿ＡＳＴ＿ＡＴＲ）、副映像ストリームの数（ＶＴＳＭ＿ＳＰＳＴ＿Ｎｓ）、及び副映像ストリームの属性（ＶＴＳＭ＿ＳＰＳＴ＿ＡＴＲ）が記述されている。
【０１２７】
ビデオタイトルセット（ＶＴＳ）のオーディオストリームの属性（ＶＴＳ＿ＡＳＴ＿ＡＴＲ）には、図３５に示されるようにビット番号ｂ６３からビット番号ｂ４８にオーディオコーディングモード、マルチチャンネルの拡張、オーディオタイプ、オーディオのアプリケーションＩＤ、量子化、サンプリング周波数、予約、及びオーディオチャネルの数が記述され、ビット番号ｂ４７からビット番号ｂ４０及びビット番号ｂ３９からビット番号ｂ３２には、特定コードとしてこのオーディオストリームの言語コードが記述され、ビット番号ｂ３１からビット番号ｂ２４には、特定コードの為の予約が設けられている。また、ビット番号ｂ２３からビット番号ｂ８は、今後の為に予約として空けられ、ビット番号ｂ７からビット番号ｂ０には、応用情報が記述されている。ここで、ＶＴＳメニュー用ビデオオブジェクトセット（ＶＴＳＭ＿ＶＯＢＳ）９５がない場合、或いは、そのビデオオブジェクトセットにオーディオストリームがない場合には、ビット番号ｂ６３からビット番号ｂ０の各ビットに“０”が記述される。
【０１２８】
特定コードは、ｂ４７からｂ４０及びｂ３９からｂ３２に記載されるが、ここには、オーディオストリームのタイプが言語、即ち、音声である場合には、ＩＳＯ−６３９で定められたその言語のコードが言語シンボルで記載される。オーディオストリームのタイプが言語、即ち、音声でない場合には、この領域は、予約とされる。
【０１２９】
ＶＴＳＴＴの為のビデオオブジェクトセット（ＶＴＳＴ＿ＶＯＢＳ）９６の副映像ストリーム属性（ＶＴＳ＿ＳＰＳＴ＿ＡＴＲ）においては、図３６示すようにビット番号ｂ４７からビット番号Ｂ４０に副映像コード化モード、予約、副映像表示タイプ、副映像タイプが記述され、ビット番号ｂ３９からビット番号ｂ３２及びにビット番号ｂ３１からビット番号ｂ２４に特定コードとしてこの副映像ストリームの言語コードが記述され、ビット番号ｂ２３からビット番号ｂ１６が特定コードの予約とされ、ビット番号ｂ１５からビット番号ｂ８が特定コードの拡張が記述されている。更に、ビット番号ｂ７からビット番号ｂ０は、予約とされている。
【０１３０】
ＶＴＳプログラムチェーン情報テーブル（ＶＴＳ＿ＰＧＣＩＴ）１００は、図３７に示すような構造を備えている。この情報テーブル（ＶＴＳ＿ＰＧＣＩＴ）１００には、ＶＴＳプログラムチェーン（ＶＴＳ＿ＰＧＣ）に関する情報（ＶＴＳ＿ＰＧＣＩ）が記載され、始めの項目としてＶＴＳプログラムチェーン（ＶＴＳ＿ＰＧＣ）に関する情報テーブル（ＶＴＳ＿ＰＧＣＩＴ）１００の情報（ＶＴＳ＿ＰＧＣＩＴ＿Ｉ）１０２が設けられている。この情報（ＶＴＳ＿ＰＧＣＩＴ＿Ｉ）１０２に続いてこの情報テーブル（ＶＴＳ＿ＰＧＣＩＴ）１００には、この情報テーブル（ＶＴＳ＿ＰＧＣＩＴ）１００中のＶＴＳプログラムチェーン（ＶＴＳ＿ＰＧＣ）の数（＃１から＃ｎ）だけＶＴＳプログラムチェーン（ＶＴＳ＿ＰＧＣ）をサーチするＶＴＳ＿ＰＧＣＩサーチポインタ（ＶＴＳ＿ＰＧＣＩＴ＿ＳＲＰ）１０３が設けられ、最後にＶＴＳプログラムチェーン（ＶＴＳ＿ＰＧＣ）に対応した数（＃１から＃ｎ）だけ各ＶＴＳプログラムチェーン（ＶＴＳ＿ＰＧＣ）に関する情報（ＶＴＳ＿ＰＧＣＩ）１０４が設けられている。
【０１３１】
ＶＴＳプログラムチェーン情報テーブル（ＶＴＳ＿ＰＧＣＩＴ）１００の情報（ＶＴＳ＿ＰＧＣＩＴ＿Ｉ）１０２には、図３８に示されるようにＶＴＳプログラムチェーン（ＶＴＳ＿ＰＧＣ）の数（ＶＴＳ＿ＰＧＣ＿Ｎｓ）が内容として記述され及びこのテーブル情報（ＶＴＳ＿ＰＧＣＩＴ＿Ｉ）１０２の終了アドレス（ＶＴＳ＿ＰＧＣＩＴ＿ＥＡ）がこの情報テーブル（ＶＴＳ＿ＰＧＣＩＴ）１００の先頭バイトからの相対的なバイト数で記述されている。
【０１３２】
また、ＶＴＳ＿ＰＧＣＩＴサーチポインタ（ＶＴＳ＿ＰＧＣＩＴ＿ＳＲＰ）１０３には、図３９に示すようにビデオタイトルセット（ＶＴＳ）７２のプログラムチェーン（ＶＴＳ＿ＰＧＣ）の属性（ＶＴＳ＿ＰＧＣ＿ＣＡＴ）及びこのＶＴＳ＿ＰＧＣ情報テーブル（ＶＴＳ＿ＰＧＣＩＴ）１００の先頭バイトからの相対的バイト数でＶＴＳ＿ＰＧＣ情報（ＶＴＳ＿ＰＧＣＩ）のスタートアドレス（ＶＴＳ＿ＰＧＣＩ＿ＳＡ）が記述されている。ここで、ＶＴＳ＿ＰＧＣ属性（ＶＴＳ＿ＰＧＣ＿ＣＡＴ）には、属性として例えば、最初に再生されるエントリープログラムチェーン（エントリーＰＧＣ）か否かが記載される。通常、エントリプログラムチェーン（ＰＧＣ）は、エントリープログラムチェーン（ＰＧＣ）でないプログラムチェーン（ＰＧＣ）に先だって記載される。
【０１３３】
ビデオタイトルセッ内のＰＧＣ情報（ＶＴＳ＿ＰＧＣＩ）１０４には、図４０に示すように４つの項目が記載されている。このＰＧＣ情報（ＶＴＳ＿ＰＧＣＩ）１０４には、始めに必須項目のプログラムチェーン一般情報（ＰＧＣ＿ＧＩ）１０５が記述され、これに続いてビデオオブジェクトがある場合だけ必須の項目とされる少なくとも３つの項目１０６、１０７、１０８が記載されている。即ち、その３つの項目としてプログラムチェーンプログラムマップ（ＰＧＣ＿ＰＧＭＡＰ）１０６、セル再生情報テーブル（Ｃ＿ＰＢＩＴ）１０７及びセル位置情報テーブル（Ｃ＿ＰＯＳＩＴ）１０８がＰＧＣ情報（ＶＴＳ＿ＰＧＣＩ）１０４に記載されている。
【０１３４】
プログラムチェーン一般情報（ＰＧＣ＿ＧＩ）１０５には、図４１に示すようにプログラムチェーン（ＰＧＣ）のカテゴリー（ＰＧＣ＿ＣＡＴ）、プログラムチェーン（ＰＧＣ）の内容（ＰＧＣ＿ＣＮＴ）及びプログラムチェーン（ＰＧＣ）の再生時間（ＰＧＣ＿ＰＢ＿ＴＩＭＥ）が記載されている。ＰＧＣのカテゴリー（ＰＧＣＩ＿ＣＡＴ）には、当該ＰＧＣのコピーが可能であるか否か及びこのＰＧＣ中のプログラムの再生が連続であるか或いはランダム再生であるか否か等が記載される。ＰＧＣの内容（ＰＧＣ＿ＣＮＴ）には、このプログラムチェーンの構成内容、即ち、プログラム数、セルの数、このプログラムチェーン中のアングルの数が記載される。ＰＧＣの再生時間（ＰＧＣ＿ＰＢ＿ＴＩＭＥ）には、このＰＧＣ中のプログラムのトータル再生時間等が記載される。この再生時間は、再生手順には無関係に連続してＰＧＣ内のプログラムを再生する場合のプログラムの再生時間が記述される。アングルモードがある場合には、アングルセル番号１の再生時間がそのアングルの再生時間を表すこととなる。
【０１３５】
また、プログラムチェーン一般情報（ＰＧＣ＿ＧＩ）１０５には、ＰＧＣ副映像ストリーム制御（ＰＧＣ＿ＳＰＳＴ＿ＣＴＬ）、ＰＧＣオーディオストリーム制御（ＰＧＣ＿ＡＳＴ＿ＣＴＬ）及びＰＧＣ副映像パレット（ＰＧＣ＿ＳＰ＿ＰＬＴ）が記載されている。ＰＧＣ副映像ストリーム制御（ＰＧＣ＿ＳＰＳＴ＿ＣＴＬ）には、ＰＧＣで使用可能な副映像数が記載され、ＰＧＣオーディオストリーム制御（ＰＧＣ＿ＡＳＴ＿ＣＴＬ）には、同様にＰＧＣで使用可能なオーディオストリームの数が記載される。ＰＧＣ副映像パレット（ＰＧＣ＿ＳＰ＿ＰＬＴ）には、このＰＧＣの全ての副映像ストリームで使用する所定数のカラーパレットのセットが記載される。
【０１３６】
更に、ＰＧＣ一般情報（ＰＧＣ＿ＧＩ）１０５には、セル再生情報テーブル（Ｃ＿ＰＢＩＴ）１０７のスタートアドレス（Ｃ＿ＰＢＩＴ＿ＳＡ）及びセル位置情報テーブル（Ｃ＿ＰＯＳＩＴ）１０８のスタートアドレス（Ｃ＿ＰＯＳＩＴ＿ＳＡ）が記載されている。いずれのスタートアドレス（Ｃ＿ＰＢＩＴ＿ＳＡ及びＣ＿ＰＯＳＩＴ＿ＳＡ）もＶＴＳ＿ＰＧＣ情報（ＶＴＳ＿ＰＧＣＩ）の先頭バイトからの相対的な論理ブロック数で記載される。
【０１３７】
プログラムチェーン（ＰＧＣ）のカテゴリー（ＰＧＣ＿ＣＡＴ）は、メニュー用のプログラムチェーン（ＰＧＣ）の場合、図４２に示すようにビット番号ｂ３１にエントリータイプとしてＰＧＣエントリーかノンＰＧＣエントリーかが記述され、ビット番号ｂ３０からビット番号ｂ２８は、今後の為に予約として空けられ、ビット番号ｂ２７からビット番号ｂ２４にはメニューの種別を示すメニューＩＤが記述され、ビット番号ｂ２３からビット番号ｂ２２にはＰＧＣブロックモードが記述され、ビット番号ｂ２１からビット番号ｂ２０にはＰＧＣブロックタイプが記述され、ビット番号ｂ１９からビット番号ｂ１６にはプログラムプレイバックコントロールが記述され、ビット番号ｂ１５からビット番号ｂ１４にはコピーフラグが記述され、ビット番号ｂ１３からビット番号ｂ１２にはプレイバックシステムマネジメントが記述され、ビット番号ｂ１１からビット番号ｂ８にはアプリケーションタイプが記述され、ビット番号ｂ７からビット番号ｂ０は、今後の為に予約として空けられている。
【０１３８】
メニューＩＤとしては、“００１０”の場合、ビデオマネージャー情報メニュー（ＶＭＧＭ）で用いるタイトルメニューを示し、“００１１”の場合、ロットメニューを示し、“０１００”の場合、ビデオタイトルセットメニュー（ＶＴＳＭ）で用いる副映像メニューを示し、“０１０１”の場合、ビデオタイトルセットメニュー（ＶＴＳＭ）で用いるオーディオメニューを示し、“０１１０”の場合、ビデオタイトルセットメニュー（ＶＴＳＭ）で用いるアングルメニューを示し、“０１１１”の場合、ビデオタイトルセットメニュー（ＶＴＳＭ）で用いるプログラムメニューを示している。
【０１３９】
プログラムチェーン（ＰＧＣ）のカテゴリー（ＰＧＣ＿ＣＡＴ）が、タイトル用のプログラムチェーン（ＰＧＣ）の場合には、ビット番号ｂ３０からビット番号ｂ２４に、ビデオタイトルセット（ＶＴＳ）７２の１〜９９のタイトル数（ＶＴＳ＿ＴＴＮ）が記述される。
【０１４０】
プログラムチェーン（ＰＧＣ）の内容（ＰＧＣ＿ＣＮＴ）は、図４３に示すようにビット番号ｂ２３は予約として空けられ、ビット番号ｂ２２からビット番号ｂ１６に、このプログラムチェーン（ＰＧＣ）における１〜９９のプログラム数が記述され、ビット番号ｂ１５からビット番号ｂ８に、このプログラムチェーン（ＰＧＣ）における１〜２５５のセル数が記述され、ビット番号ｂ７からビット番号ｂ４は、今後の為に予約として空けられ、ビット番号ｂ３からビット番号ｂ０に、このプログラムチェーン（ＰＧＣ）における１〜９のアングル数が記述される。
【０１４１】
プログラムチェーンプログラムマップ（ＰＧＣ＿ＰＧＭＡＰ）１０６は、図４４に示すようにＰＧＣ内のプログラムの構成を示すマップである。このマップ（ＰＧＣ＿ＰＧＭＡＰ）１０６には、図４４及び図４５に示すようにプログラムの開始セル番号であるエントリーセル番号（ＥＣＥＬＬＮ）がセル番号の昇順に記述されている。また、エントリーセル番号の記述順にプログラム番号が１から割り当てられている。従って、このマップ（ＰＧＣ＿ＰＧＭＡＰ）１０６の最初のエントリーセル番号は、＃１でなければならない。
【０１４２】
セル再生情報テーブル（Ｃ＿ＰＢＩＴ）１０７は、ＰＧＣのセルの再生順序を定義している。このセル再生情報テーブル（Ｃ＿ＰＢＩＴ）１０７には、図４６に示すようにセル再生情報（Ｃ＿ＰＢＩＴ）が連続して記載されている。基本的には、セルの再生は、そのセル番号の順序で再生される。セル再生情報（Ｃ＿ＰＢＩＴ）には、図４５に示されるようにセルカテゴリー（Ｃ＿ＣＡＴ）が記載される。このセルカテゴリー（Ｃ＿ＣＡＴ）には、セルがセルブロック中のセルであるか、また、セルブロック中のセルであれば最初のセルであるかを示すセルブロックモード、セルがブロック中の一部ではない、或いは、アングルブロックであるかを示すセルブロックタイプ、システムタイムクロック（ＳＴＣ）の再設定の要否を示すＳＴＣ不連続フラグが記載される。ここで、セルブロックとは、ある特定のアングルのセルの集合として定義される。アングルの変更は、セルブロックを変更することによって実現される。即ち、野球を例にとれば、外野からのシーンを撮影したアングルブロックから内野からのシーンを撮影したアングルブロックの変更がアングルの変更に相当する。
【０１４３】
また、このセルカテゴリー（Ｃ＿ＣＡＴ）には、セル内では連続して再生するか或いはセル内の各ビデオオブジェクトユニット（ＶＯＢＵ）単位で静止するかを示すセル再生モード、セルの再生の後に静止させるか否か或いはその静止時間を示すセルナビゲーション制御が記載されている。
【０１４４】
また、図４７に示すようにセル再生情報テーブル（Ｃ＿ＰＢＩＴ）１０７は、ＰＧＣの全再生時間を記述したセル再生時間（Ｃ＿ＰＢＴＭ）を含んでいる。アングルセルブロックがＰＧＣ中にある場合には、そのアングルセル番号１の再生時間がそのアングルブロックの再生時間を表している。更に、セル再生情報テーブル（Ｃ＿ＰＢＩＴ）１０７には、当該セルが記録されているビデオオブジェクトユニット（ＶＯＢＵ）８５の先頭論理セクタからの相対的な論理セクタ数でセル中の先頭ビデオオブジェクトユニット（ＶＯＢＵ）８５のスタートアドレス（Ｃ＿ＦＶＯＢＵ＿ＳＡ）が記載され、また、当該セルが記録されているビデオオブジェクトユニット（ＶＯＢＵ）８５の先頭論理セクタからの相対的な論理セクタ数でセル中の最終ビデオオブジェクトユニット（ＶＯＢＵ）８５のスタートアドレス（Ｃ＿ＬＶＯＢＵ＿ＳＡ）が記載される。
【０１４５】
セル位置情報テーブル（Ｃ＿ＰＯＳＩ）１０８は、ＰＧＣ内で使用するセルのビデオオブジェクト（ＶＯＢ）の識別番号（ＶＯＢ＿ＩＤ）及びセルの識別番号（Ｃ＿ＩＤ）を特定している。セル位置情報テーブル（Ｃ＿ＰＯＳＩ）には、図４８に示されるようにセル再生情報テーブル（Ｃ＿ＰＢＩＴ）１０７に記載されるセル番号に対応するセル位置情報（Ｃ＿ＰＯＳＩ）がセル再生情報テーブル（Ｃ＿ＰＢＩＴ）と同一順序で記載される。このセル位置情報（Ｃ＿ＰＯＳＩ）には、図４９に示すようにセルのビデオオブジェクトユニット（ＶＯＢＵ）８５の識別番号（Ｃ＿ＶＯＢ＿ＩＤＮ）及びセル識別番号（Ｃ＿ＩＤＮ）が記述されている。
【０１４６】
図３３に示すビデオタイトルセットメニュー（ＶＴＳＭ）の言語ごとの情報を記述したビデオタイトルセットメニューＰＧＣＩユニットテーブル（ＶＴＳＭ＿ＰＧＣＩ＿ＵＴ）１１１は、図５０に示すようにビデオタイトルセットメニューＰＧＣＩユニットテーブル情報（ＶＴＳＭ＿ＰＧＣＩ＿ＵＴＩ）１１１Ａ、ｎ個のビデオタイトルセットメニュー言語ユニットサーチポインタ（ＶＴＳＭ＿ＬＵ＿ＳＲＰ）１１１Ｂ、ｎ個のビデオタイトルセットメニュー言語ユニット（ＶＴＳＭ＿ＬＵ）１１１Ｃから構成され、その順序で記述されている。
【０１４７】
ビデオタイトルセットメニューＰＧＣＩユニットテーブル情報（ＶＴＳＭ＿ＰＧＣＩ＿ＵＴＩ）１１１Ａには、このテーブル１１１の情報が記述され、ビデオタイトルセットメニューＰＧＣＩユニットサーチポインタ（ＶＴＳＭ＿ＬＵ＿ＳＲＰ）１１１Ｂには、＃１から＃ｎまでのビデオタイトルセットメニューに対応した順序で記述され、言語コードが記述がされているとともに＃１から＃ｎまでのビデオタイトルセットメニューに対応した順序で記述されたビデオタイトルセットメニュー言語ユニット（ＶＴＳＭ＿ＬＵ）１１１Ｃを検索するポインタに関する記述がされている。また、ビデオタイトルセットメニュー言語ユニット（ＶＴＳＭ＿ＬＵ）１１１Ｃの夫々には、対応するビデオタイトルセットメニューのプログラムチェーンのカテゴリーと開始アドレスが記述されている。
【０１４８】
より詳細には、ビデオタイトルセットメニューＰＧＣＩユニットテーブル情報（ＶＴＳＭ＿ＰＧＣＩ＿ＵＴＩ）１１１Ａには、図５１に示すように、ビデオタイトルセットメニュー言語ユニット（ＶＴＳＭ＿ＬＵ）１１１Ｃの数がパラメータ（ＶＴＳＭ＿ＬＵ＿Ｎｓ）として記載され、また、ビデオタイトルセットメニュー言語ユニット（ＶＴＳＭ＿ＬＵ）１１１Ｃの終了アドレスがパラメータ（ＶＴＳＭ＿ＰＧＣＩ＿ＵＴ＿ＥＡ）として記載されている。また、図５２に示すように、ビデオタイトルセットメニューＰＧＣＩユニットサーチポインタ（ＶＴＳＭ＿ＬＵ＿ＳＲＰ）１１１Ｂには、ビデオタイトルセットメニュー言語コードがパラメータ（ＶＴＳＭ＿ＬＣＤ）として記載され、また、ビデオタイトルセットメニュー言語ユニット（ＶＴＳＭ＿ＬＵ）１１１Ｃの開始アドレスがパラメータ（ＶＴＳＭ＿ＬＵ＿ＳＡ）として記述されている。更に、ビデオタイトルセットメニュー言語ユニット（ＶＴＳＭ＿ＬＵ）１１１Ｃには、図５３に示すようにこのビデオタイトルセットメニュー言語ユニット情報（ＶＴＳＭ＿ＬＵＩ）１１１Ｄ、ビデオタイトルセットメニューＰＧＣ情報サーチポイント（ＶＴＳＭ＿ＰＧＣＩ＿ＳＲＰ）１１１Ｅ、ビデオタイトルセットメニューＰＧＣ情報（ＶＴＳＭ＿ＰＧＣＩ）１１１Ｆから構成され、その順序で記述されている。ビデオタイトルセットメニュー言語ユニット情報（ＶＴＳＭ＿ＬＵＩ）１１１Ｄには、このテーブル１１１Ｃの情報が記述され、（ＶＴＳＭ＿ＰＧＣＩ＿ＳＲＰ）１１１Ｅには、＃１から＃ｎまでのビデオタイトルセットメニューに対応した順序で記述され、ビデオタイトルセットメニューのプログラムチェーンのカテゴリーが記述がされているとともに＃１から＃ｎまでのビデオタイトルセットメニューに対応した順序で記述されたビデオタイトルセットメニューＰＧＣ情報サーチ情報（ＶＴＳＭ＿ＰＧＣＩ）１１１Ｆを検索するポインタに関する記述がされている。
【０１４９】
ビデオタイトルセットメニューＰＧＣ情報サーチ情報（ＶＴＳＭ＿ＰＧＣＩ）１１１Ｆは、ビデオタイトルセットメニューのプログラムチェーンに関する情報、即ち、ＶＴＳＭプログラムチェーン情報（ＶＴＳＭ＿ＰＧＣＩ）を記述している。
【０１５０】
より詳細には、ビデオタイトルセットメニュー言語ユニット情報（ＶＴＳＭ＿ＬＵＩ）１１１Ｄには、図５４に示すように、ＶＴＳＭプログラムチェーン情報（ＶＴＳＭ＿ＰＧＣＩ）１１１Ｆの数がパラメータ（ＶＴＳＭ＿ＰＧＣＩ＿Ｎｓ）として記載され、また、ビデオタイトルセットメニュー言語ユニット情報（ＶＴＳＭ＿ＬＵＩ）１１１Ｄの終了アドレスがパラメータ（ＶＴＳＭ＿ＬＵＩ＿ＥＡ）として記載されている。また、図５５に示すように、ビデオタイトルセットメニューＰＧＣ情報サーチポイント（ＶＴＳＭ＿ＰＧＣＩ＿ＳＲＰ）１１１Ｅには、ビデオタイトルセットメニューのプログラムチェーンのカテゴリーがパラメータ（ＶＴＳＭ＿ＰＧＣ＿ＣＡＴ）として記載され、またＶＴＳＭプログラムチェーン情報（ＶＴＳＭ＿ＰＧＣＩ）１１１Ｆの開始アドレスがパラメータ（ＶＴＳＭ＿ＰＧＣＩ＿ＳＡ）として記載されている。
【０１５１】
ビデオタイトルセットメニューのプログラムチェーンのカテゴリー（ＶＴＳＭ＿ＰＧＣ＿ＣＡＴ）には、このＰＧＣがエントリーされているか否かを示すフラグ、およびメニューかを示すメニューＩＤが記述されている。このメニューＩＤとしては、“０１００”が記述される場合、副映像メニューを意味し、“０１０１”が記述される場合、オーディオメニューを意味し、“０１１０”が記述される場合、アングルメニューを意味し、“０１１１”が記述される場合、プログラムメニューを意味している。
【０１５２】
図１２を参照して説明したようにセル８４は、ビデオオブジェクトユニット（ＶＯＢＵ）８５の集合とされ、ビデオオブジェクトユニット（ＶＯＢＵ）８５は、ナビゲーション（ＮＶ）パック８６から始まるパック列として定義される。従って、セル８４中の最初のビデオオブジェクトユニット（ＶＯＢＵ）８５のスタートアドレス（Ｃ＿ＦＶＯＢＵ＿ＳＡ）は、ＮＶパック８６のスタートアドレスを表すこととなる。このＮＶパック８６は、図５６に示すようにパックヘッダ１１０、システムヘッダ１１１及びナビゲーションデータとしての２つのパケット、即ち、再生制御情報（ＰＣＩ）パケット１１６及びデータサーチ情報（ＤＳＩ）パケット１１７から成る構造を有し、図５６に示すようなバイト数が各部に付り当てられ、１パックが１論理セクタに相当する２０４８バイトに定められている。また、このＮＶパックは、そのグループオブピクチャー（ＧＯＰ）中の最初のデータが含まれるビデオパックの直前に配置されている。オブジェクトユニット８５がビデオパックを含まない場合であってもＮＶパックがオーディオパック又は／及び副映像パックを含むオブジェクトユニットの先頭に配置される。このようにオブジェクトユニットがビデオパックを含まない場合であってもオブジェクトユニットがビデオパックを含む場合と同様にオブジェクトユニットの再生時間は、ビデオが再生される単位を基準に定められる。
【０１５３】
ここで、ＧＯＰとは、ＭＰＥＧの規格で定められ、既に説明したように複数画面を構成するデータ列として定義される。即ち、ＧＯＰとは、圧縮されたデータに相当し、この圧縮データを伸張させると動画を再生することができる複数フレームの画像データが再生される。パックヘッダ１１０及びシステムヘッダ１１１は、ＭＰＥＧ２のシステムレーヤで定義され、パックヘッダ１１０には、パック開始コード、システムクロックリファレンス（ＳＣＲ）及び多重化レートの情報が格納され、システムヘッダ１１１には、ビットレート、ストリームＩＤが記載されている。ＰＣＩパケット１１６及びＤＳＩパケット１１７のパケットヘッダ１１２、１１４には、同様にＭＰＥＧ２のシステムレーヤに定められているようにパケット開始コード、パケット長及びストリームＩＤが格納されている。
【０１５４】
他のビデオ、オーディオ、副映像パック８８、９０、９１は、図５７に示すようにＭＰＥＧ２のシステムレーヤに定められるように同様にパックヘッダ１２０、パケットヘッダ１２１及び対応するデータが格納されたパケット１２２から構成され、そのパック長は、２０４８バイト（１論理セクタ）に定められている。これらの各パックは、論理ブロックの境界に一致されている。上記ビデオ、オーディオ、副映像パック８８、９０、９１は、パックの最終部分に追加されるパデイングバイト、あるいはパックヘッダ内に追加されるスタッフィングバイトにより、パック長が２０４８バイトになるように調整されている。
【０１５５】
ＰＣＩパケット１１６のＰＣＩデータ（ＰＣＩ）１１３は、ＶＯＢユニット（ＶＯＢＵ）８５内のビデオデータの再生状態に同期してプレゼンテーション、即ち、表示の内容を変更する為のナビゲーションデータである。即ち、ＰＣＩデータ（ＰＣＩ）１１３には、図５８に示されるようにＰＣＩ全体の情報としてのＰＣＩ一般情報（ＰＣＩ＿ＧＩ）アングル変更時における各飛び先アングル情報としてのアングル情報（ＮＳＬＳ＿ＡＧＬＩ）及びハイライト情報（ＨＬＩ）が記述されている。ＰＣＩ一般情報（ＰＣＩ＿ＧＩ）には、図５９に示されるようにＰＣＩ１１３が記録されているＶＯＢＵ８５の論理セクタからの相対的論理ブロック数でそのＰＣＩ１１３が記録されているＮＶパック（ＮＶ＿ＰＣＫ）８６のアドレス（ＮＶ＿ＰＣＫ＿ＬＢＮ）が記述されている。また、ＰＣＩ一般情報（ＰＣＩ＿ＧＩ）には、ＶＯＢＵ８５のカテゴリー（ＶＯＢＵ＿ＣＡＴ）、ＶＯＢＵ８５のスタートＰＴＭ（ＶＯＢＵ＿ＳＰＴＭ）及び終了ＰＴＭ（ＶＯＢＵ＿ＥＰＴＭ）が記述されている。ここで、ＶＯＢＵ８５のスタートＰＴＭ（ＶＯＢＵ＿ＳＰＴＭ）は、当該ＰＣＩ１１３が含まれるＶＯＢＵ８５中のビデオデータの再生開始時間（スタートプレゼンテーションタイムスタンプ（ＳＰＴＭ））を示している。この再生開始時間は、ＶＯＢＵ８５中の最初の再生開始時間である。通常は、最初のピクチャーは、ＭＰＥＧの規格におけるＩピクチャー（Ｉｎｔｒａ−Ｐｉｃｔｕｒｅ）の再生開始時間に相当する。ＶＯＢＵ８５の終了ＰＴＭ（ＶＯＢＵ＿ＥＰＴＭ）は、当該ＰＣＩ１１３が含まれるＶＯＢＵ８５の再生終了時間（終了プレゼンテーションタイムスタンプ（ＥＰＴＭ））を示している。
【０１５６】
アングル情報（ＮＳＭＬ＿ＡＧＬＩ）には、図６０に示すようにアングルの数だけ飛び先のアングルセルの開始アドレス（ＮＳＭＬ＿ＡＧＬ＿Ｃ＿ＤＳＴＡ）が記載され、その開始アドレスは、ＰＣＩ１１３が記録されたＮＶパック８６の論理セクタからの相対的論理セクタで記述されている。このアングル情報（ＮＳＭＬ＿ＡＧＬＩ）に基づくアングルの変更の場合には、図６１に示すように当該ＰＣＩ１１３が記録されているＶＯＢＵ８５の再生時間と等しい他のアングルブロック内のＶＯＢＵ８５のスタートアドレス、或いは、再生時間が手前の最も近い再生時間を有する他のアングルブロック内のＶＯＢＵ８５のスタートアドレス（ＮＳＭＬ＿ＡＧＬ＿Ｃ＿ＤＳＴＡ）がこのアングル情報（ＮＳＭＬ＿ＡＧＬＩ）に記述される。
【０１５７】
このようなアングルセルの開始アドレス（ＮＳＭＬ＿ＡＧＬ＿Ｃ＿ＤＳＴＡ）の記述によれば、具体的には、次のようなアングルの変更が実現される。ここで、野球の試合でピッチヤーが投げてからバッターが打ち、その打球がホームランとなるまでの一連の時間が連続した場面を想定してアングルの変更を説明する。ここで、ＰＣＩ１１３によって制御されるアングルセル（ＡＮＧ＿Ｃ＃ｊ）は、図６１に示すようにビデオオブジェクトユニット（ＶＯＢＵ）８５の単位で変更することができる。図６１には、再生順序に従ってビデオオブジェクトユニット（ＶＯＢＵ）８５に再生順序に従った番号が付されているが、あるアングルセル（ＡＮＧ＿Ｃ＃ｊ）の再生番号ｎに相当するビデオオブジェクトユニット（ＶＯＢＵ＃ｎ）８５は、他のアングルセル（ＡＮＧ＿Ｃ#1）８４或いは、アングルセル（ＡＮＧ＿Ｃ＃９）８４に相当する再生番号ｎのビデオオブジェクトユニット（ＶＯＢＵ＃ｎ）８５とは、同一時刻或いはそれ以前の最も近い異なるシーンに関するビデオデータが格納されている。あるアングルセル（ＡＮＧ＿Ｃ＃ｊ）８４には、ピッチヤー及びバッターの入った全景が画面に映し出され、一連の動作が映し出されるビデオデータとしてＶＯＢＵ８５が連続して配列され、また、アングルセル（ＡＮＧ＿Ｃ＃１）８４には、打者の打撃フォームを鑑賞する為にバッターのみが画面に映し出されるビデオデータとしてＶＯＢＵ８５が連続して配列され、更に、アングルセル（ＡＮＧ＿Ｃ＃９）には、ピッチャーの表情のみが画面に映し出されるビデオデータとしてＶＯＢＵ８５が連続して配列されていると仮定する。始めにアングルセル＃ｊ（ＡＧＬ＿Ｃ＃ｊ）をユーザが鑑賞していて打った瞬間にアングルセル＃１に変更すると、即ち、打った瞬間にアングルを打者のみが映し出されるアングルに変更すると、打った後の打者のみの画面に変更されないで、打撃が始まる前の打者がバットを振り始めてからの画面に変更されることとなる。また、始めにアングルセル＃ｊ（ＡＧＬ＿Ｃ＃ｉ）を鑑賞していて打った瞬間にアングルセル＃９に変更すると、即ち、打った瞬間にアングルをピッチヤーのみが映し出されるアングルに変更すると、打った瞬間の打たれたピッチヤーの表情が画面に表示され、ピッチヤーの心理的な変化を鑑賞することができる。
【０１５８】
図５６に示したＤＳＩパケット１１７のＤＳＩデータ（ＤＳＩ）１１５は、ＶＯＢユニット（ＶＯＢＵ）８５のサーチを実行する為のナビゲーションデータである。ＤＳＩデータ（ＤＳＩ）１１５には、図６２に示すようにＤＳＩ一般情報（ＤＳＩ＿ＧＩ）、アングル情報（ＳＭＬ＿ＡＧＬＩ）、ＶＯＢユニットのサーチ情報（ＶＯＢＵ＿ＳＲＩ）及び同期再生情報（ＳＹＮＣＩ）が記述されている。
【０１５９】
ＤＳＩ一般情報（ＤＳＩ＿ＧＩ）は、そのＤＳＩ１１５全体の情報が記述されている。即ち、図６３に示すようにＤＳＩ一般情報（ＤＳＩ＿ＧＩ）には、ＮＶパック８６のシステム時刻基準参照値（ＮＶ＿ＰＣＫ＿ＳＣＲ）が記載されている。このシステム時刻基準参照値（ＮＶ＿ＰＣＫ＿ＳＣＲ）は、図１に示す各部に組み込まれているシステムタイムクロック（ＳＴＣ）に格納され、このＳＴＣを基準にビデオ、オーディオ及び副映像パックがビデオ、オーディオ及び副映像デコーダ部５８、６０、６２でデコードされ、映像及び音声がモニタ部６及びスピーカ部８で再生される。ＤＳＩ一般情報（ＤＳＩ＿ＧＩ）には、ＤＳＩ１１５が記録されているＶＯＢセット（ＶＯＢＳ）８２の先頭論理セクタからの相対的論理セクタ数（ＲＬＳＮ）でＤＳＩ１１５が記録されているＮＶパック（ＮＶ＿ＰＣＫ）８６のスタートアドレス（ＮＶ＿ＰＣＫ＿ＬＢＮ）が記載され、ＶＯＢユニット（ＶＯＢＵ）の先頭論理セクタからの相対的論理セクタ数（ＲＬＳＮ）でＤＳＩ１１５が記録されているＶＯＢユニット（ＶＯＢＵ）８５中の最終パックのアドレス（ＶＯＢＵ＿ＥＡ）が記載されている。
【０１６０】
更に、ＤＳＩ一般情報（ＤＳＩ＿ＧＩ）には、ＤＳＩ１１５が記録されているＶＯＢユニット（ＶＯＢＵ）の先頭論理セクタからの相対的論理セクタ数（ＲＬＳＮ）でこのＶＯＢＵ内での最初のＩピクチャーの最終アドレスが記録されているＶパック（Ｖ＿ＰＣＫ）８８の終了アドレス（ＶＯＢＵ＿ＩＰ＿ＥＡ）が記載され、当該ＤＳＩ１１５が記録されているＶＯＢＵ８３の識別番号（ＶＯＢＵ＿ＩＰ＿ＩＤＮ）及び当該ＤＳＩ１１５が記録されているセルの識別番号（ＶＯＢＵ＿Ｃ＿ＩＤＮ）が記載されている。
【０１６１】
アングル情報（ＳＭＬ＿ＡＧＬＩ）には、ＰＣＩ１１３のアングル情報（ＮＳＭＬ＿ＡＧＬＩ）と同様に図６４に示すようにアングルの数だけ飛び先のアングルセルの開始アドレス（ＳＭＬ＿ＡＧＬ＿Ｃ＿ＤＳＴＡ）が記載され、その開始アドレスは、当該ＤＳＩ１１５が記録されたＮＶパック８６の論理セクタからの相対的論理セクタで記述されている。このアングル情報（ＳＭＬ＿ＡＧＬＩ）に基づくアングルの変更の場合には、図６５に示すように当該ＤＳＩ１１５が記録されているＶＯＢＵ８５の再生時間以後の他のアングルブロック内のセル８４のスタートアドレスがこのアングル情報（ＳＭＬ＿ＡＧＬＩ）に記述される。
【０１６２】
ＤＳＩのアングル情報（ＳＭＬ＿ＡＧＬＩ）を用いた場合には、ＰＣＩがビデオオブジェクトユニット（ＶＯＢＵ）で変更可能なのに対してセル単位でアングルが変更され、時間的に連続してシーンが変更される。即ち、ＰＳＩのアングル情報（ＳＭＬ＿ＡＧＬＩ）が時間的に不連続なアングルの変更が記述されるに対してＤＳＩのアングル情報（ＳＭＬ＿ＡＧＬＩ）には、時間的に連続するアングルの変更が記述される。上述した野球の例を用いてアングルの具体例を説明すれば次のようなアングルの変更が実現される。アングルセル＃ｊ（ＡＧＬ＿Ｃ＃ｊ）８４は、ピッチャーが投げてこの球をバッターが打ち、この打球がホームランとなるシーンの連続が内野側から撮影された画像データのストリームであり、アングルセル＃１は、同様の場面が外野側から撮影された画像データストリームであるとする。また、アングルセル＃９は、同様の場面についてバッターが属するチームの様子を撮影した画像データストリームであるとする。アングルセル＃ｊ（ＡＧＬ＿Ｃ＃ｊ）を鑑賞していて打った瞬間にアングルセル＃１に変更すると、即ち、打った瞬間に外野側からのシーンに変更すると、バッターの打撃の後に時間的に連続する外野に打球が飛んでくる画面に変更することができる。また、始めにアングルセル＃ｊ（ＡＧＬ＿Ｃ＃ｉ）を鑑賞していてホームランとなった瞬間にアングルセル＃９に変更すると、即ち、バッターの属するチームの様子が映し出されるアングルに変更すると、ホームランで大騒ぎとなったチームの様子及び監督の表情が画面に表示される。このようにＰＣＩ１１３のアングル情報（ＮＳＭＬ＿ＡＧＬＩ）とＤＳＩ１１５のアングル情報（ＳＭＬ＿ＡＧＬＩ）を用いた場合には、明らかに異なるシーンが再現されることとなる。
【０１６３】
ＶＯＢＵ８５のサーチ情報（ＶＯＢＵ＿ＳＩ）には、図６６に示すようにセル内の先頭アドレスを特定する為の情報が記述される。即ち、ＶＯＢＵ８５のサーチ情報（ＶＯＢＵ＿ＳＩ）には、図６６に示すように当該ＤＳＩ１１５を含むＶＯＢユニット（ＶＯＢＵ）８５を基準にその再生順序に従ってフォワードアドレス［データ］（ＦＷＤＡＮｎ）として＋１から＋２０、＋６０、＋１２０及び＋２４０までのＶＯＢユニット（ＶＯＢＵ）８５の［有無及びある場合にはその］スタートアドレス（Ａ＿ＦＷＤｎ）が当該ＶＯＢユニットの先頭論理セクタからの相対的な論理セクタ数で記載されている。
【０１６４】
このフォワードアドレス（ＦＷＤＡＮｎ）は、図６７に示すように３２ビットで表現され、ビット番号２９（ｂ２９）からビット番号０（ｂ０）には、そのアドレス、例えば、フォワードアドレス１０（ＦＷＤＡ１０）のアドレスが記述され、そのフォワードアドレス（ＦＷＤＡＮｎ）の先頭には、ビデオデータがそのフォワードアドレス（ＦＷＤＡＮｎ）に相当するビデオオブジェクトユニット（ＶＯＢＵ）８５内にビデオデータがあるかを示すフラグ（Ｖ＿ＦＷＤ＿Ｅｘｉｓｔ１）及び当該ビデオオブジェクトとフォワード先のビデオオブジェクトユニットとの間にビデオデータがあるかを示すフラグ（Ｖ＿ＦＷＤ＿Ｅｘｉｓｔ２）が記述されている。即ち、Ｖ＿ＦＷＤ＿Ｅｘｉｓｔ１がビット番号（ｂ３１）に相当し、このフラグが０である場合には、ビット番号２９からビット番号０に記述されたフォワードアドレス（ＦＷＤＡＮｎ）で指定されるビデオオブジェクトユニット（ＶＯＢＵ）８５には、ビデオデータがない旨を意味し、このフラグが１である場合には、ビット番号２９からビット番号０に記述されたフォワードアドレス（ＦＷＤＡＮｎ）で指定されるビデオオブジェクトユニット（ＶＯＢＵ）８５には、ビデオデータがある旨を意味している。例えば、フォワードアドレス１０（ＦＷＤＡ１０）にビデオデータがある場合には、ビット３１番のＶ＿ＦＷＤ＿Ｅｘｉｓｔ１には、１のフラグが立ち、そのアドレスにビデオデータがない場合には、ビット３１番のＶ＿ＦＷＤ＿Ｅｘｉｓｔ１には、０が記述される。また、Ｖ＿ＦＷＤ＿Ｅｘｉｓｔ２がビット番号（ｂ３０）に相当し、このフラグが０である場合には、ビット番号２９からビット番号０に記述されたフォワードアドレス（ＦＷＤＡＮｎ）で指定されるビデオオブジェクトユニット（ＶＯＢＵ）８５とこのフォワードアドレスを記載しているＤＳＩ１１５が含まれるビデオオブジェクトユニット（ＶＯＢＵ）８５との間のビデオオブジェクトユニット（ＶＯＢＵ）８５のいずれかにも、ビデオデータがない旨を意味し、このフラグが１である場合には、そのビデオオブジェクトユニット（ＶＯＢＵ）８５には、ビデオデータがその間のいずれかのビデオオブジェクトユニットある旨を意味している。例えば、フォワードアドレス１０（ＦＷＤＡ１０）のビデオオブジェクトユニットとフォワードアドレス０に相当するフォワードアドレス１０を記述したＤＳＩ１１５が含まれるビデオオブジェクトユニット８５との間のフォワード１からフォワード９に相当する複数のビデオオブジェクトユニットにビデオデータがある場合には、ビット３０番のＶ＿ＦＷＤ＿Ｅｘｉｓｔ２には、１のフラグが立ち、そのアドレスににビデオデータがない場合には、ビット３０番のＶ＿ＦＷＤ＿Ｅｘｉｓｔ２には、０が記述される。
【０１６５】
また、同様にＶＯＢＵ８５のサーチ情報（ＶＯＢＵ＿ＳＩ）には、図６６に示すように当該ＤＳＩ１１５を含むＶＯＢユニット（ＶＯＢＵ）８５を基準にその再生順序とは逆方向にバックワードデータ（ＢＷＤＡ）として−１から−２０、−６０、−１２０及び−２４０までのＶＯＢユニット（ＶＯＢＵ）８５のスタートアドレス（Ａ＿ＢＷＤｎ）が当該ＶＯＢユニット（ＶＯＢＵ）８５の先頭論理セクタからの相対的な論理セクタ数で記載されている。
【０１６６】
このバックワードアドレス（ＢＷＤＡＮｎ）は、図６８に示すように３２ビットで表現され、ビット番号２９（ｂ２９）からビット番号０（ｂ０）には、そのアドレス、例えば、バックワードアドレス１０（ＢＷＤＡ１０）のアドレスが記述され、そのバックワードアドレス（ＢＷＤＡＮｎ）の先頭には、ビデオデータがそのバックワードアドレス（ＢＷＤＡＮｎ）に相当するビデオオブジェクトユニット（ＶＯＢＵ）８５内にビデオデータがあるかを示すフラグ（Ｖ＿ＢＷＤ＿Ｅｘｉｓｔ１）及び当該ビデオオブジェクトとバックワード先のビデオオブジェクトユニットとの間にビデオデータがあるかを示すフラグ（Ｖ＿ＢＷＤ＿Ｅｘｉｓｔ２）が記述されている。即ち、Ｖ＿ＢＷＤ＿Ｅｘｉｓｔ１がビット番号（ｂ３１）に相当し、このフラグが０である場合には、ビット番号２９からビット番号０に記述されたバックワードアドレス（ＢＷＤＡＮｎ）で指定されるビデオオブジェクトユニット（ＶＯＢＵ）８５には、ビデオデータがない旨を意味し、このフラグが１である場合には、ビット番号２９からビット番号０に記述されたバックワードアドレス（ＢＷＤＡＮｎ）で指定されるビデオオブジェクトユニット（ＶＯＢＵ）８５には、ビデオデータがある旨を意味している。例えば、バックワードアドレス１０（ＢＷＤＡ１０）にビデオデータがある場合には、ビット３１番のＶ＿ＢＷＤ＿Ｅｘｉｓｔ１には、１のフラグが立ち、そのアドレスにビデオデータがある場合には、ビット３１番のＶ＿ＢＷＤ＿Ｅｘｉｓｔ１には、０が記述される。また、Ｖ＿ＢＷＤ＿Ｅｘｉｓｔ２がビット番号（ｂ３０）に相当し、このフラグが０である場合には、ビット番号２９からビット番号０に記述されたバックワードアドレス（ＢＷＤＡＮｎ）で指定されるビデオオブジェクトユニット（ＶＯＢＵ）８５とこのバックワードアドレスを記載しているＤＳＩ１１５が含まれるビデオオブジェクトユニットとの間のビデオオブジェクトユニットのいずれも、ビデオデータがない旨を意味し、このフラグが１である場合には、そのビデオオブジェクトユニット（ＶＯＢＵ）８５には、ビデオデータがある旨を意味している。例えば、バックワードアドレス１０（ＢＷＤＡ１０）のビデオオブジェクトユニットとバックワードアドレス０に相当するバックワードアドレス１０との間のビデオオブジェクトユニット８５のいずれかにビデオデータがある場合には、ビット３０番のＶ＿ＢＷＤ＿Ｅｘｉｓｔ２には、１のフラグが立ち、そのアドレスにビデオデータがない場合には、ビット３０番のＶ＿ＢＷＤ＿Ｅｘｉｓｔ２には、０が記述される。
【０１６７】
同期情報（ＳＹＮＣＩ）には、ＤＳＩ１１５が含まれるＶＯＢユニット（ＶＯＢＵ）のビデオデータの再生開始時間と同期して再生する副映像及びオーディオデータのアドレス情報が記載される。即ち、図６９に示すようにＤＳＩ１１５が記録されているＮＶパック（ＮＶ＿ＰＣＫ）８６からの相対的な論理セクタ数（ＲＬＳＮ）で目的とするオーディオパック（Ａ＿ＰＣＫ）９１のスタートアドレス（Ａ＿ＳＹＮＣＡ）が記載される。オーディオストリームが複数（最大８）ある場合には、その数だけ同期情報（ＳＹＮＣＩ）が記載される。また、同期情報（ＳＹＮＣＩ）には、目的とするオーディオパック（ＳＰ＿ＰＣＫ）９１を含むＶＯＢユニット（ＶＯＢＵ）８５のＮＶパック（ＮＶ＿ＰＣＫ）８６のアドレス（ＳＰ＿ＳＹＮＣＡ）がＤＳＩ１１５が記録されているＮＶパック（ＮＶ＿ＰＣＫ）８６からの相対的な論理セクタ数（ＲＬＳＮ）で記載されている。副映像ストリームが複数（最大３２）ある場合には、その数だけ同期情報（ＳＹＮＣＩ）が記載される。
【０１６８】
図７０を用いて複数の副映像パケットの副映像データにより構成される副映像ユニットについて説明する。１ＧＯＰ内に十数画面分の静止画のデータ（たとえば字幕）としての副映像ユニットが記録できるようになっている。副映像ユニットは、副映像ユニットヘッダ（ＳＰＵＨ）、ランレングスデータで構成される画素データ（ＰＸＤ）、表示制御シーケンステーブル（ＤＣＳＱＴ）により構成されている。
【０１６９】
副映像ユニットヘッダ（ＳＰＵＨ）には、図７１に示すように、副映像ユニットのサイズ（ＳＰＤＳＺ）と表示制御シーケンステーブルのスタートアドレス（ＳＰＤＣＳＱＴＡ）とが記述されている。
【０１７０】
表示制御シーケンステーブル（ＤＣＳＱＴ）には、図７２に示すように、経過時刻順に表示制御シーケンス（ＤＣＳＱ）が記述されている。
【０１７１】
各表示制御シーケンス（ＤＣＳＱ）には、図７３に示すように、次の表示制御シーケンスのスタートアドレス（ＳＰＮＤＣＳＱＡ）、１つ以上の表示制御コマンド（ＳＰＤＣＣＭＤ）が記述されている。
【０１７２】
表示制御コマンド（ＳＰＤＣＣＭＤ）は、画素データの強制表示スタートタイミングを設定コマンド（ＦＳＴＡ ＤＳＰ）、画素データの表示スタートタイミングを設定コマンド（ＳＴＡ ＤＳＰ）、画素データの表示エンドタイミングを設定コマンド（ＳＴＰ ＤＳＰ）、画素データのカラーコードを設定コマンド（ＳＥＴ ＣＯＬＯＲ）、画素データと主映像とのコントラスト比を設定コマンド（ＳＥＴ ＣＯＮＴＲ）、画素データの表示領域を設定コマンド（ＳＥＴ ＤＡＲＥＡ）、画素データの表示スタートアドレスを設定コマンド（ＳＥＴ ＤＳＰＸＡ）、画素データの色変化およびコントラスト変化を設定コマンド（ＣＨＧ ＣＯＬＣＯＮ）、表示制御コマンドの終了コマンド（ＣＭＤ ＥＮＤ）からなる。
【０１７３】
コマンド（ＳＴＡ ＤＳＰ）は、副映像データの表示開始を指定する命令であり、副映像ユニットヘッダを含む副映像パケットに記述されているＰＴＭからのオフセットＰＴＭで記述される（スタートＰＴＭ）。コマンド（ＳＴＰ ＤＳＰ）は、副映像データの表示停止を指定する命令であり、副映像ユニットヘッダを含む副映像パケットに記述されているＰＴＭからのオフセットＰＴＭで記述される（ストップＰＴＭ）。
【０１７４】
このスタートＰＴＭとストップＰＴＭは、同時時間帯に再生される主映像データやオーディオデータのＰＴＭよりも任意の所定時間遅延して設定されている。
【０１７５】
図１に示す上記システムプロセッサ部５４には、パケットの種別を判断してそのパケット内のデータを各デコーダへ転送するパケット転送処理部２００を有している。このパケット転送処理部２００は、図７４に示すように、メモリインターフェース部（メモリＩ／Ｆ部）１９１、スタッフィング長検知部１９２、パックヘッダ終了アドレス算出部１９３、パック種別判別部１９４、パケットデータ転送制御部１９５、およびデコーダインターフェース部（デコーダＩ／Ｆ部）１９６により構成されている。
【０１７６】
メモリＩ／Ｆ部１９１は、データＲＡＭ部５６からのパックデータをデータバスによりスタッフィング長検知部１９２、パック種別判別部１９４、パケットデータ転送制御部１９５、およびデコーダＩ／Ｆ部１９６へ出力するものである。
【０１７７】
スタッフィング長検知部１９２は、メモリＩ／Ｆ部１９１から供給されるパックデータ中のパックヘッダ１２０内のスタッフィング長が何バイトであるかを検知するものであり、この検知結果はパックヘッダ終了アドレス算出部１９３に出力される。
【０１７８】
パックヘッダ終了アドレス算出部１９３は、スタッフィング長検知部１９２から供給されるスタッフィング長により、パックヘッダ終了アドレスを算出するものであり、この算出結果はパック種別判別部１９４およびパケットデータ転送制御部１９５に出力される。
【０１７９】
パック種別判別部１９４は、パックヘッダ終了アドレス算出部１９３から供給されるパックヘッダ終了アドレスに従って、上記メモリＩ／Ｆ部１９１から供給されるパックデータ中のそのアドレスの次に供給される４バイトのデータの内容により、ビデオパック８８、オーディオパック９１、副映像パック９０、ＮＶパック８６のいずれであるかを判別するものであり、この判別結果はパケットデータ転送制御部１９５に出力される。
【０１８０】
パケットデータ転送制御部１９５は、パックヘッダ終了アドレス算出部１９３から供給されるパックヘッダ終了アドレスとパック種別判別部１９４から供給されるパック種別の判別結果に応じて、転送先とパケットスタートアドレスを判断し、さらに供給されるパックデータのパケットヘッダ１２１内のパケット長を判断するものである。さらに、パケットデータ転送制御部１９５は、転送コントロール信号としての転送先を示す信号をデコーダＩ／Ｆ部１９６に供給し、パケットスタートアドレスからパケット終了アドレスがメモリＩ／Ｆ部１９１に供給されるようになっている。
【０１８１】
デコーダＩ／Ｆ部１９６は、パケットデータ転送制御部１９５から供給される転送コントロール信号に応じて、メモリＩ／Ｆ部１９１からパケットデータ転送制御部１９５に制御されて供給されるパケットヘッダ１２１を含むパケットデータとしての、ビデオデータ、オーディオデータ、副映像データを、対応するデコーダ部５８、６０、６２に出力したり、パケットデータとしてのナビゲーションデータ及びコンピュータデータをデータＲＡＭ部５６に出力するものである。
【０１８２】
次に、パケット転送処理部２００の処理を説明する。
【０１８３】
すなわち、データＲＡＭ部５６から読出されたパックデータがメモリＩ／Ｆ部１９１を介してスタッフィング長検知部１９２、パック種別判別部１９４、パケットデータ転送制御部１９５、およびデコーダＩ／Ｆ部１９６に供給される。
【０１８４】
これにより、スタッフィング長検知部１９２によって、スタッフィング長が検知され、そのスタッフィング長を示すデータがパックヘッダ終了アドレス算出部１９３に出力される。
【０１８５】
パックヘッダ終了アドレス算出部１９３は供給されるスタッフィング長により、パックヘッダ終了アドレスを算出し、このパックヘッダ終了アドレスがパック種別判別部１９４、パケットデータ転送制御部１９５に供給される。
【０１８６】
パック種別判別部１９４は、供給されるパックヘッダ終了アドレスに従って、そのアドレスの次に供給される４〜６バイトのデータの内容により、ＮＶパック８６、ビデオパック８８、ドルビーＡＣ３のオーディオパック９１、リニアＰＣＭのオーディオパック９１、副映像パック９０のいずれであるかを判別し、この判別結果がパケットデータ転送制御部１９５に供給される。
【０１８７】
すなわち、プライベートストリーム２を示す１バイトのストリームＩＤが供給された場合、ＮＶパック８６と判別し、ビデオストリームを示す１バイトのストリームＩＤによりビデオパック８８と判別し、プライベートストリーム１を示す１バイトのストリームＩＤによりドルビーＡＣ３のオーディオパック９１、リニアＰＣＭのオーディオパック９１、副映像パック９０のいずれかであると判別する。
【０１８８】
また、ストリームＩＤがプライベートストリーム１の際に、パケットヘッダ１２１に続くサブストリームＩＤにより、リニアＰＣＭのオーディオパック、ドルビーＡＣ３のオーディオパック、あるいは副映像ストリームと判別するとともに、そのストリーム番号を判別する。
【０１８９】
そして、パケットデータ転送制御部１９５は、供給されるパック種別の判別結果とパックヘッダ終了アドレスに応じて、転送先とパケットスタートアドレスを判断し、さらに供給されるパックデータのパケットヘッダ１２１内のパケット長を判断する。これにより、パケットデータ転送制御部１９５は、転送コントロール信号としての転送先を示す信号をデコーダＩ／Ｆ部１９６に供給し、パケットスタートアドレスからパケット終了アドレスがメモリＩ／Ｆ部１９１に供給される。
【０１９０】
したがって、実質的に有効なパケットデータが、メモリＩ／Ｆ部１９１からデータバスを介して、デコーダＩ／Ｆ部１９６に供給され、その後、その種別に応じた転送先としての各デコーダ部５８、６０、６２あるいはデータＲＡＭ部５６に転送される。
【０１９１】
すなわち、ビデオデータのパケットデータはビデオデコーダ部５８へ転送され、オーディオデータのパケットデータはオーディオデコーダ部６０へ転送され、副映像データのパケットデータは副映像デコーダ部６２へ転送される。
【０１９２】
この際、上記パックデータが一定長のため、データＲＡＭ部５６での記憶状態がつまり開始アドレスが一定間隔なため、データＲＡＭ部５６内のパックデータの先頭が常に同じ間隔のアドレスに保存される事となり、パックデータの管理がアドレス管理せずに、パック番号だけの管理で良い。
【０１９３】
尚、データの種別の判別過程では、データがビデオデータの再生位置等を示すＮＶデータとしてのＰＣＩデータおよびＤＳＩデータの場合には、このＮＶデータはデコーダへは転送されず、このＮＶデータは、データＲＡＭ部５６に格納される。このＮＶデータは、システムＣＰＵ部５０によって必要に応じて参照されてビデオデータの特殊再生をする際に利用される。この際、ＰＣＩデータとＤＳＩデータとはそれらに付与されているサブストリームＩＤにより識別されるようになっている。
【０１９４】
また、１つのセルの再生が終了すると、次に再生するセル情報がプログラムチェーンデータ中のセル再生順序情報から取得し、同様にして再生が続けられる。
【０１９５】
次に、メニューの再生処理について、図１を参照して図７から図６９に示す論理フォーマットを有する光ディスク１０を用いて説明する。尚、図１においてブロック間の実線の矢印は、データバスを示し、破線の矢印は、制御バスを示している。
【０１９６】
図１に示される光ディスク装置においては、電源が投入され、光ディスク１０が装填されると、システム用ＲＯＭ及びＲＡＭ部５２からシステムＣＰＵ部５０は、初期動作プログラムを読み出し、ディスクドライブ部３０を作動させる。従って、ディスクドライブ部３０は、リードイン領域２７から読み出し動作を開始し、リードイン領域２７に続く、ＩＳＯー９６６０等に準拠してボリュームとファイル構造を規定したボリューム及びファイル構造領域７０が読み出される。即ち、システムＣＰＵ部５０は、ディスクドライブ部３０にセットされた光ディスク１０の所定位置に記録されているボリューム及びファイル構造領域７０を読み出す為に、ディスクドライブ部３０にリード命令を与え、ボリューム及びファイル構造領域７０の内容を読み出し、システムプロセッサ部５４を介して、データＲＡＭ部５６に一旦格納する。システムＣＰＵ部５０は、データＲＡＭ部５６に格納されたパステーブル及びディレクトリレコードを介して各ファイルの記録位置や記録容量、サイズ等の情報やその他管理に必要な情報としての管理情報を抜き出し、システム用ＲＯＭ＆ＲＡＭ部５２の所定の場所に転送し、保存する。
【０１９７】
次に、システムＣＰＵ部５０は、システム用ＲＯＭ＆ＲＡＭ部５２から各ファイルの記録位置や記録容量の情報を参照してファイル番号０番から始まる複数ファイルから成るビデオマネージャー７１を取得する。即ち、システムＣＰＵ部５０は、システム用ＲＯＭ及びＲＡＭ部５２から取得した各ファイルの記録位置や記録容量の情報を参照してディスクドライブ部３０に対してリード命令を与え、ルートディレクトリ上に存在するビデオマネージャー７１を構成する複数ファイルの位置及びサイズを取得し、このビデオマネージャー７１を読み出し、システムプロセッサ部５４を介して、データＲＡＭ部５６に格納する。
【０１９８】
この後、システムＣＰＵ部５０は、図７５、７６のフローチャートに示すように、光ディスク１０内の総タイトル数、各タイトルごとのチャプタ数（プログラム数）、各タイトルごとのオーディオストリーム数とオーディオストリームの言語、各タイトルごとの副映像ストリーム数と副映像ストリームの言語を検出する。
【０１９９】
すなわち、システムＣＰＵ部５０は、ビデオマネージャー７１の第２番目のテーブルであるタイトルサーチポインタテーブル（ＴＴ＿ＳＲＰＴ）７９がサーチされる（ステップＳ５１）。システムＣＰＵ部５０は、タイトルサーチポインタテーブル（ＴＴ＿ＳＲＰＴ）７９内のタイトルサーチポインターテーブルの情報（ＴＴ＿ＳＲＰＴＩ）９２に記載されているタイトルサーチポインタの数（ＴＴ＿Ｎｓ）により光ディスク１０内の総タイトル数を得る（ステップＳ５２）。
【０２００】
また、システムＣＰＵ部５０は、タイトルサーチポインタテーブル（ＴＴ＿ＳＲＰＴ）７９内の各タイトルサーチポインタ（ＴＴ＿ＳＲＰ）９３に記載されているチャプタ数（プログラム数）としてのパートオブタイトル数（ＰＴＴ＿Ｎｓ）により各タイトルごとのチャプタ数（プログラム数）を得る（ステップＳ５３）。
【０２０１】
また、システムＣＰＵ部５０は、各タイトルサーチポインタ（ＴＴ＿ＳＲＰ）９３に記載されているビデオタイトルセット７２のスタートアドレス（ＶＴＳ＿ＳＡ）を用いて各ビデオタイトルセット７２の第１番目のテーブルであるビデオタイトルセット情報（ＶＴＳＩ）９４内のビデオタイトルセットダイレクトアクセスポインタテーブル（ＶＴＳ＿ＰＴＴ＿ＳＲＰＴ）９９がサーチされる（ステップＳ５４）。システムＣＰＵ部５０は、各ビデオタイトルセット７２ごとのテーブル（ＶＴＳ＿ＤＡＰＴ）９９に記載されているオーディオストリームの数（ＶＴＳ＿ＡＳＴ＿Ｎｓ）により各タイトルごとのオーディオストリーム数を得、副映像ストリームの数（ＶＴＳ＿ＳＰＳＴ＿Ｎｓ）により各タイトルごとの副映像ストリームの数を得る（ステップＳ５５）。
【０２０２】
また、システムＣＰＵ部５０は、各ビデオタイトルセット７２ごとのテーブル（ＶＴＳ＿ＤＡＰＴ）９９のオーディオストリーム属性（ＶＴＳ＿ＡＳＴ＿ＡＴＲ）に記載されているオーディオストリームごとのオーディオの言語コードにより、各タイトルのオーディオストリームごとの言語を得る（ステップＳ５６）。
【０２０３】
また、システムＣＰＵ部５０は、各ビデオタイトルセット７２ごとのテーブル（ＶＴＳ＿ＤＡＰＴ）９９の副映像ストリーム属性（ＶＴＳ＿ＳＰＳＴ＿ＡＴＲ）に記載されている副映像ストリームごとの副映像の言語コードにより、各タイトルの副映像ストリームごとの言語を得る（ステップＳ５７）。
【０２０４】
また、システムＣＰＵ部５０は、ビデオマネージャー７１のビデオマネージャー情報（ＶＭＧＭ）７５内の第４番目のテーブルであるビデオマネージャーメニューＰＧＣＩユニットテーブル（ＶＭＧＭ＿ＰＧＣＩ＿ＵＴ）８１がサーチされる（ステップＳ５８）。このサーチによって再生装置に設定されている言語と同一の言語コードが記述されているビデオマネージャーメニューＰＧＣＩユニットサーチポインタ（ＶＭＧＭ＿ＬＵ＿ＳＲＰ）８１Ｂがサーチされる（ステップＳ５９）。
【０２０５】
同一の言語コードが記述されているビデオマネージャーメニューＰＧＣＩユニットサーチポインタ（ＶＭＧＭ＿ＬＵ＿ＳＲＰ）８１Ｂがサーチされた際に、システムＣＰＵ部５０は、そのポインタ（ＶＭＧＭ＿ＬＵ＿ＳＲＰ）８１Ｂに対応するビデオマネージャーメニュー言語ユニット（ＶＭＧＭ＿ＬＵ）８１Ｃ内のビデオマネージャーメニューＰＧＣ情報サーチポインタ（ＶＭＧＭ＿ＰＧＣＩ＿ＳＲＰ）８１Ｅの各ビデオマネージャーメニューのプログラムチェーンのカテゴリー（ＶＭＧＭ＿ＰＧＣ＿ＣＡＴ）ごとに記載されているメニューＩＤをサーチし（ステップＳ６０）、このサーチによりルートメニューとしてのメインメニューが存在しているか否かを判断するとともに、タイトルメニュー（ビデオタイトルセットメニュー）が存在しているか否かを判断する（ステップＳ６１）。
【０２０６】
メインメニューが存在している場合、システムＣＰＵ部５０は、そのルートメニューのメニューＩＤが記載されているビデオマネージャーメニューＰＧＣ情報サーチポインタ（ＶＭＧＭ＿ＰＧＣＩ＿ＳＲＰ）８１Ｅの１つに記載されているＶＭＧＭプログラムチェーン情報（ＶＭＧＭ＿ＰＧＣＩ）８１Ｆの開始アドレスがパラメータ（ＶＭＧＭ＿ＰＧＣＩ＿ＳＡ）により、対応するＶＭＧＭプログラムチェーン情報（ＶＭＧＭ＿ＰＧＣＩ）８１Ｆの内容を読出し、このＶＭＧＭプログラムチェーン情報（ＶＭＧＭ＿ＰＧＣＩ）８１Ｆに記載されている先頭ビデオオブジェクトユニット（ＶＯＢＵ）８５のスタートアドレス（Ｃ＿ＦＶＯＢＵ＿ＳＡ）をメインメニューのスタートアドレスとしてメモリテーブル５６Ａに記憶する（ステップＳ６２）。
【０２０７】
また、タイトルメニューが存在している場合、システムＣＰＵ部５０は、そのタイトルメニューのメニューＩＤが記載されているビデオマネージャーメニューＰＧＣ情報サーチポインタ（ＶＭＧＭ＿ＰＧＣＩ＿ＳＲＰ）８１Ｅの１つに記載されているＶＭＧＭプログラムチェーン情報（ＶＭＧＭ＿ＰＧＣＩ）８１Ｆの開始アドレスがパラメータ（ＶＭＧＭ＿ＰＧＣＩ＿ＳＡ）により、対応するＶＭＧＭプログラムチェーン情報（ＶＭＧＭ＿ＰＧＣＩ）８１Ｆの内容を読出し、このＶＭＧＭプログラムチェーン情報（ＶＭＧＭ＿ＰＧＣＩ）８１Ｆに記載されている先頭ビデオオブジェクトユニット（ＶＯＢＵ）８５のスタートアドレス（Ｃ＿ＦＶＯＢＵ＿ＳＡ）をタイトルメニューのスタートアドレスとしてメモリテーブル５６Ａに記憶する（ステップＳ６３）。
【０２０８】
また、システムＣＰＵ部５０は、各ビデオタイトルセット７２ごとの第１番目のテーブルであるビデオタイトルセット情報（ＶＴＳＩ）９４内のビデオタイトルセットメニューＰＧＣＩユニットテーブル（ＶＴＳＭ＿ＰＧＣＩ＿ＵＴ）１１１がサーチされる（ステップＳ６４）。このサーチによって再生装置に設定されている言語と同一の言語コードが記述されているビデオタイトルセットメニューＰＧＣＩユニットサーチポインタ（ＶＴＳＭ＿ＬＵ＿ＳＲＰ）１１１Ｂがサーチされる（ステップＳ６５）。
【０２０９】
同一の言語コードが記述されているビデオタイトルセットメニューＰＧＣＩユニットサーチポインタ（ＶＴＳＭ＿ＬＵ＿ＳＲＰ）１１１Ｂがサーチされた際に、システムＣＰＵ部５０は、そのポインタ（ＶＴＳＭ＿ＬＵ＿ＳＲＰ）１１１Ｂに対応するビデオタイトルセットメニュー言語ユニット（ＶＴＳＭ＿ＬＵ）１１１Ｃ内のビデオタイトルセットメニューＰＧＣ情報サーチポインタ（ＶＴＳＭ＿ＰＧＣＩ＿ＳＲＰ）１１１Ｅの各ビデオタイトルセットメニューのプログラムチェーンのカテゴリー（ＶＴＳＭ＿ＰＧＣ＿ＣＡＴ）ごとに記載されているメニューＩＤをサーチし（ステップＳ６６）、このサーチにより副映像メニュー、オーディオメニュー、アングルメニュー、チャプター（プログラム）メニューが存在しているか否かを判断するとともに、タイトルメニューが存在しているか否かを判断する（ステップＳ６７）。
【０２１０】
それらのメニューが存在している場合、システムＣＰＵ部５０は、そのメニューＩＤが記載されているビデオタイトルセットメニューＰＧＣ情報サーチポインタ（ＶＴＳＭ＿ＰＧＣＩ＿ＳＲＰ）１１１Ｅの１つに記載されているＶＴＳＭプログラムチェーン情報（ＶＴＳＭ＿ＰＧＣＩ）１１１Ｆの開始アドレスがパラメータ（ＶＴＳＭ＿ＰＧＣＩ＿ＳＡ）により、対応するＶＴＳＭプログラムチェーン情報（ＶＴＳＭ＿ＰＧＣＩ）１１１Ｆの内容を読出し、このＶＴＳＭプログラムチェーン情報（ＶＴＳＭ＿ＰＧＣＩ）１１１Ｆに記載されている先頭ビデオオブジェクトユニット（ＶＯＢＵ）８５のスタートアドレス（Ｃ＿ＦＶＯＢＵ＿ＳＡ）を対応するメニューのスタートアドレスとしてメモリテーブル５６Ａに記憶する（ステップＳ６８）。
【０２１１】
これにより、各ビデオタイトルセット７２ごとの副映像メニュー、オーディオメニュー、アングルメニュー、チャプター（プログラム）メニューのスタートアドレスがメモリテーブル５６Ａに記憶される。
【０２１２】
この結果、メモリテーブル５６Ａには、図７７に示すように、再生装置に設定されている言語に対応した各メニューに対応するスタートアドレスが記憶される。
【０２１３】
したがって、リモートコントロール５のメニューキー５ｋが投入された際、システムＣＰＵ部５０は、メインメニューの再生を判断し、メインメニューが存在しているか否かを判断する。この判断の結果、メインメニューが存在していると判断した場合、システムＣＰＵ部５０は、メモリテーブル５６Ａのメインメニューに対応して記憶されている先頭ビデオオブジェクトユニット（ＶＯＢＵ）８５のスタートアドレス（Ｃ＿ＦＶＯＢＵ＿ＳＡ）を読出し、このアドレスに対応するメインメニューのデータを光ディスク１０のビデオマネージャーメニュー（ＶＭＧＭ）７５の為のビデオオブジェクトセット（ＶＭＧＭ＿ＶＯＢＳ）７６に対応する領域から読出し、再生する。この再生されたデータは、システムプロセッサ部５４を介して、データＲＡＭ部５６に入力される。このデータセル８４は、再生時間情報を基にビデオデコーダ部５８、オーディオデコーダ部６０及び副映像デコーダ部６２に与えられてデコードされ、Ｄ／Ａ及び再生処理部６４で信号変換されてモニタ部６に図７８に示すような、メインメニューの画像が再現されるとともにスピーカ部８から音声が再生される。
【０２１４】
また、リモートコントロール５のタイトルキー５ｌが投入された際、あるいは上記メインメニューが再生されている状態で、タイトルに対応する「１」キーが投入された際、あるいは通常の再生の開始時に、システムＣＰＵ部５０は、タイトルメニューの再生を判断し、タイトルメニューが存在しているか否かを判断する。この判断の結果、タイトルメニューが存在していると判断した場合、メモリテーブル５６Ａのタイトルメニューに対応して記憶されている先頭ビデオオブジェクトユニット（ＶＯＢＵ）８５のスタートアドレス（Ｃ＿ＦＶＯＢＵ＿ＳＡ）を読出し、このアドレスに対応するタイトルメニューのデータを光ディスク１０のビデオマネージャーメニュー（ＶＭＧＭ）７５の為のビデオオブジェクトセット（ＶＭＧＭ＿ＶＯＢＳ）７６に対応する領域から読出し、再生する。この再生されたデータは、システムプロセッサ部５４を介して、データＲＡＭ部５６に入力される。このデータセル８４は、再生時間情報を基にビデオデコーダ部５８、オーディオデコーダ部６０及び副映像デコーダ部６２に与えられてデコードされ、Ｄ／Ａ及び再生処理部６４で信号変換されてモニタ部６に図７９の（ａ）に示すような、タイトルメニューの画像が再現されるとともにスピーカ部８から音声が再生される。
【０２１５】
また、メインメニューが再生されている状態で、チャプタに対応する「２」キーが投入された際、あるいは通常再生によりタイトルが選択された後、システムＣＰＵ部５０は、現在選択されているタイトルに対応するチャプタメニューの再生を判断し、チャプタメニューが存在しているか否かを判断する。この判断の結果、チャプタメニューが存在していると判断した場合、メモリテーブル５６Ａのチャプタメニューに対応して記憶されている先頭ビデオオブジェクトユニット（ＶＯＢＵ）８５のスタートアドレス（Ｃ＿ＦＶＯＢＵ＿ＳＡ）を読出し、このアドレスに対応するチャプタメニューのデータを光ディスク１０のビデオタイトルセットメニュー（ＶＴＳＭ）の為のビデオオブジェクトセット（ＶＴＳＭ＿ＶＯＢＳ）９５に対応する領域から読出し、再生する。この再生されたデータは、システムプロセッサ部５４を介して、データＲＡＭ部５６に入力される。このデータセル８４は、再生時間情報を基にビデオデコーダ部５８、オーディオデコーダ部６０及び副映像デコーダ部６２に与えられてデコードされ、Ｄ／Ａ及び再生処理部６４で信号変換されてモニタ部６に図７９の（ｂ）に示すような、チャプタメニューの画像が再現されるとともにスピーカ部８から音声が再生される。
【０２１６】
また、メインメニューが再生されている状態で、オーディオに対応する「３」キーが投入された際、あるいは通常再生によりタイトルが選択された後、システムＣＰＵ部５０は、現在選択されているタイトルに対応するオーディオメニューの再生を判断し、オーディオメニューが存在しているか否かを判断する。この判断の結果、オーディオメニューが存在していると判断した場合、メモリテーブル５６Ａのオーディオメニューに対応して記憶されている先頭ビデオオブジェクトユニット（ＶＯＢＵ）８５のスタートアドレス（Ｃ＿ＦＶＯＢＵ＿ＳＡ）を読出し、このアドレスに対応するオーディオメニューのデータを光ディスク１０のビデオタイトルセットメニュー（ＶＴＳＭ）の為のビデオオブジェクトセット（ＶＴＳＭ＿ＶＯＢＳ）９５に対応する領域から読出し、再生する。この再生されたデータは、システムプロセッサ部５４を介して、データＲＡＭ部５６に入力される。このデータセル８４は、再生時間情報を基にビデオデコーダ部５８、オーディオデコーダ部６０及び副映像デコーダ部６２に与えられてデコードされ、Ｄ／Ａ及び再生処理部６４で信号変換されてモニタ部６に図７９の（ｃ）に示すような、オーディオメニューの画像が再現されるとともにスピーカ部８から音声が再生される。
【０２１７】
また、メインメニューが再生されている状態で、副映像に対応する「４」キーが投入された際、あるいは通常再生によりタイトルが選択された後、システムＣＰＵ部５０は、現在選択されているタイトルに対応する副映像メニューの再生を判断し、副映像メニューが存在しているか否かを判断する。この判断の結果、副映像メニューが存在していると判断した場合、メモリテーブル５６Ａの副映像メニューに対応して記憶されている先頭ビデオオブジェクトユニット（ＶＯＢＵ）８５のスタートアドレス（Ｃ＿ＦＶＯＢＵ＿ＳＡ）を読出し、このアドレスに対応する副映像メニューのデータを光ディスク１０のビデオタイトルセットメニュー（ＶＴＳＭ）の為のビデオオブジェクトセット（ＶＴＳＭ＿ＶＯＢＳ）９５に対応する領域から読出し、再生する。この再生されたデータは、システムプロセッサ部５４を介して、データＲＡＭ部５６に入力される。このデータセル８４は、再生時間情報を基にビデオデコーダ部５８、オーディオデコーダ部６０及び副映像デコーダ部６２に与えられてデコードされ、Ｄ／Ａ及び再生処理部６４で信号変換されてモニタ部６に図７９の（ｄ）に示すような、副映像メニューの画像が再現されるとともにスピーカ部８から音声が再生される。
【０２１８】
また、メインメニューが再生されている状態で、アングルに対応する「５」キーが投入された際、あるいは通常再生によりタイトルが選択された後、システムＣＰＵ部５０は、現在選択されているタイトルに対応するアングルメニューの再生を判断し、アングルメニューが存在しているか否かを判断する。この判断の結果、アングルメニューが存在していると判断した場合、メモリテーブル５６Ａのアングルメニューに対応して記憶されている先頭ビデオオブジェクトユニット（ＶＯＢＵ）８５のスタートアドレス（Ｃ＿ＦＶＯＢＵ＿ＳＡ）を読出し、このアドレスに対応するアングルメニューのデータを光ディスク１０のビデオタイトルセットメニュー（ＶＴＳＭ）の為のビデオオブジェクトセット（ＶＴＳＭ＿ＶＯＢＳ）９５に対応する領域から読出し、再生する。この再生されたデータは、システムプロセッサ部５４を介して、データＲＡＭ部５６に入力される。このデータセル８４は、再生時間情報を基にビデオデコーダ部５８、オーディオデコーダ部６０及び副映像デコーダ部６２に与えられてデコードされ、Ｄ／Ａ及び再生処理部６４で信号変換されてモニタ部６に図７９の（ｅ）に示すような、アングルメニューの画像が再現されるとともにスピーカ部８から音声が再生される。
【０２１９】
したがって、システムＣＰＵ部５０は、上記取得した各メニューの位置データをデータＲＡＭ５６内のメニューテーブル５６Ａに格納しておくようにしたので、、このテーブルを用いて必要なメニューの再生を容易に行うことができる。
【０２２０】
尚、システムＣＰＵ部５０は、ビデオマネージャー（ＶＭＧＩ）７５の情報管理テーブル（ＶＭＧＩ＿ＭＡＴ）７８に記述されたビデオマネージャーメニュー用のビデオ、オーディオ、副映像のストリーム数及びそれぞれの属性情報を取得して属性情報を基に、各々のビデオデコーダ部５８、オーディオデコーダ部６０及び副映像デコーダ部６２にビデオマネージャーメニュー再生のためのパラメータを設定している。
【０２２１】
また、国別対応やパレンタルレベルについても上記同様にメニューを用いて選択できるようになっている。国別対応の選択は、システムＣＰＵ部５０により設定されている国別コードと光ディスク１０から読み取った国別コードとを比較し、許可できる国別コードの１つを選択するものである。パレンタルレベルの選択は、システムＣＰＵ部５０により設定されているパレンタルレベルと光ディスク１０から読み取ったパレンタルレベルとを比較し、許可できるパレンタルレベルの１つを選択するものである。
【０２２２】
次に、上記メニューが再生される際の処理を、図８０に示すフローチャートを参照しつつさらに詳細に説明する。
【０２２３】
すなわち、再生されるメニューに対するスタートアドレスとしてのセル中の最初のＶＯＢＵのスタートアドレス及びＰＧＣ番号、即ち、セル番号がシステム用ＲＯＭ／ＲＡＭ部５２に格納される（ステップＳ７１）。
【０２２４】
そして、ビデオタイトルセットの読み込み準備が整った時点でリードコマンドがシステムＣＰＵ部５０からディスクドライブ部３０に与えられ、上述したスタートアドレスを基に光ディスク１０がディスクドライブ部３０によってシークされる（ステップＳ７２）。このリードコマンドによって光ディスク１０からは、指定されたプログラムチェーン（ＰＧＣ）に係るセルが次々に読み出され、システムＣＰＵ部５０及びシステム処理部５４を介してデータＲＡＭ部５６に送られる（ステップＳ７３）。この送られたセルデータは、図１２に示すようにビデオオブジェクトユニット（ＶＯＢＵ）８５の先頭パックであるナビゲーションパック８６からパックがデータＲＡＭ部５６に格納される。その後、ビデオオブジェクトユニット（ＶＯＢＵ）のビデオパック８８、オーディオパック９１及び副映像パック９０の各パケットデータは、上記パケット転送処理部２００により夫々ビデオデコーダ部５８、オーディオデコーダ部６０及び副映像デコーダ部６２に転送され、ナビゲーションパック８６のパケットデータとしてのＰＣＩデータとＤＳＩデータはデータＲＡＭ部５６に送られる（ステップＳ７４）。
【０２２５】
この結果、ビデオデコード部５８でデコードされた主映像データは、Ｄ／Ａ＆再生処理部６４内の画像合成部６４Ａに供給され、副映像デコード部６２内でデコードされた副映像データは、Ｄ／Ａ＆再生処理部６４内の画像合成部６４Ａに供給される。これにより、画像合成部６４Ａで主映像データと副映像データが合成され、その合成された画像がモニタ部６で表示される（ステップＳ７５）。
【０２２６】
また、オーディオデコード部６０でデコードされたオーディオデータは、Ｄ／Ａ＆再生処理部６４に供給されることにより、スピーカ部８から上記メニューあるいは主映像に対応した音声が再生される（ステップＳ７５）。
【０２２７】
次に、上記のようなメニューによりタイトル等が選択された状態において、図１を参照して図７から図６９に示す論理フォーマットを有する光ディスク１０からのムービーデータの再生動作について、図８１から図８５に示すフローチャートを参照しつつ説明する。
【０２２８】
すなわち、上述したメニューに対する設定処理が行われた際に、つまりメニューによりタイトル等が選択が行われる前に、システムＣＰＵ部５０は、システム用ＲＯＭ・ＲＡＭ部５２に設定されている固有コードとしてどの識別方法を用いるかを示すデータを読出し、固有コードの識別方法を判別する。すなわち、上記光ディスク１０を識別する方法として、上述した１〜８に示すものを単独に用いて生成される固有コード、あるいは複数の組合わせを用いて生成される固有コードを識別するようにしたり、それらの種々の固有コードにそれぞれ優先順位を設定して識別するのかを判別する（ステップＳ１）。
【０２２９】
この判別結果として、上述した８番目に示す、ビデオタイトルセット（ＶＴＳ）７２内のビデオタイトルセットタイトル用のビデオオブジェクトセット（ＶＴＳＴＴ＿ＶＯＢＳ）９６の開始セクタ（ナビゲーションパック８６に対応）の次のセクタ（先頭から２セクタ目：ビデオパック８８に対応）の１０２４バイト目と１０２５バイト目の２バイトのデータを固有コードとして識別する場合が選択されていると判断した際（ステップＳ２）、システムＣＰＵ部５０は、ビデオタイトルセット（ＶＴＳ）７２内のビデオタイトルセットタイトル用のビデオオブジェクトセット（ＶＴＳＴＴ＿ＶＯＢＳ）９６の開始セクタ（ナビゲーションパック８６に対応）の次のセクタ（先頭から２セクタ目：ビデオパック８８に対応）のデータを取込む（ステップＳ３）。
【０２３０】
ついで、システムＣＰＵ部５０は、取込んだセクタ内の１０２４バイト目と１０２５バイト目の２バイトのデータで、固有コードを生成し（ステップＳ４）、この固有コードと再生状態テーブル５２Ａの固有コードとを比較し、一致する固有コードが存在する否かを判断し（ステップＳ５）、一致する固有コードが存在する場合、その固有コードに対応した種々の設定状態としてのタイトルの選択状態、チャプターの選択状態、オーディオデータの選択状態、副映像の選択状態、アングルの選択状態、国別対応の状態、パレンタルレベルの選択状態、オンスクリーンディスプレイの表示状況、中断位置（中断時刻、再生スタート時間）を読出す（ステップＳ６）。
【０２３１】
これにより、システムＣＰＵ部５０は、それらの各選択状態と前回の中断位置からの再生を行うか否かの確認画面をモニタ部６を用いて案内表示する（ステップＳ７）。
【０２３２】
この案内表示に応じて、確認が指示された際（ステップＳ８）、システムＣＰＵ部５０は、上記各選択状態に応じた設定状態にし、再生スタート時間がシステムプロセッサ部５４、ビデオデコーダ部５８、オーディオデコーダ部６０及び副映像デコーダ部６２のシステムタイムクロック（ＳＴＣ）５４Ａ、５８Ａ、６０Ａ、６２Ａに設定される（ステップＳ９）。また、スタートアドレスとしてのセル中の最初のＶＯＢＵのスタートアドレス及びＰＧＣ番号、即ち、セル番号がシステム用ＲＯＭ／ＲＡＭ部５２に格納される（ステップＳ９）。
【０２３３】
ついで、ステップＳ１７に示すようにビデオタイトルセットの読み込み準備が整った時点でリードコマンドがシステムＣＰＵ部５０からディスクドライブ部３０に与えられ、上述したスタートアドレスを基に光ディスク１０がディスクドライブ部３０によってシークされる。このリードコマンドによって光ディスク１０からは、指定されたプログラムチェーン（ＰＧＣ）に係るセルが次々に読み出され、システムＣＰＵ部５０及びシステム処理部５４を介してデータＲＡＭ部５６に送られる。この送られたセルデータは、図１２に示すようにビデオオブジェクトユニット（ＶＯＢＵ）８５の先頭パックであるナビゲーションパック８６からパックがデータＲＡＭ部５６に格納される。その後、ビデオオブジェクトユニット（ＶＯＢＵ）のビデオパック８８、オーディオパック９１及び副映像パック９０が夫々ビデオデコーダ部５８、オーディオデコーダ部６０及び副映像デコーダ部６２に分配され、夫々のデコーダでデコードされてＤ／Ａ及びデータ再生部６４に送られる。その結果、モニタ部６に映像信号が送られ、スピーカ部８に音声信号が送られ、副映像を伴った映像の表示が開始されるとともに音声の再現が開始される。
【０２３４】
また、上記ステップＳ５で一致する固有コードが存在しない場合、および上記ステップＳ８で確認が指示されなかった場合、ビデオマネージャー情報（ＶＭＧＩ）７５がシステムＣＰＵ部５０によってサーチされてシステムＲＯＭ／ＲＡＭ部５２に格納される（ステップＳ１２）。同様にこのビデオマネージャー情報（ＶＭＧＩ）７５に基づいてビデオタイトルセット（ＶＴＳ）７２のビデオタイトルセット情報（ＶＴＳＩ）９４が読み込まれるとともにビデオタイトルセットメニューがそのビデオオブジェクトセット（ＶＴＳＭ＿ＶＯＢＳ）９５を利用して上述したようにモニタ部６に表示される。この表示を基にステップＳ１３で示すように再生すべきタイトルセット７２及び再生条件の等をユーザーが決定する。この決定したタイトルセット７２をキー操作／表示部４を用いて選択すると、ステップＳ１４に示すように選択したタイトルセット７２中の図３３に示すプログラムチェーン情報テーブル（ＶＴＳ＿ＰＧＣＩＴ）１００から図４０、図４６及び図４７に示すセル再生情報テーブル（Ｃ＿ＰＢＩＴ）１０７のデータがシステムＣＰＵ部５０によって読み込まれ、これがシステムＲＯＭ／ＲＡＭ部５２に格納される。
【０２３５】
システムＣＰＵ部５０は、ステップＳ１５に示すように、キー操作／表示部４あるいはリモートコントローラ５から入力された再生条件に応じて再生を開始するプログラムチェーン番号（ＶＴＳ＿ＰＧＣ＿Ｎｓ）、アングル番号（ＡＮＧＮｓ）、オーディオストリーム番号及び副映像ストリーム番号が上述したような各メニューを用いて決定される。例えば、プログラムチェーンとしてボクシングのワールドチャンピョン第１１戦がタイトルとして選定され、英語のナレーションの基に副映像として日本語の字幕を映し出すことを決定する。また、アングルとして常に両者の戦いが良く鑑賞できる映像に決定する等の選択がユーザによって実行される。この決定された副映像番号及びオーディオストリーム番号がステップＳ１６に示すようにシステムプロセッサ部５４のレジスタ５４Ｂに設定される。同様に、再生スタート時間がシステムプロセッサ部５４、ビデオデコーダ部５８、オーディオデコーダ部６０及び副映像デコーダ部６２のシステムタイムクロック（ＳＴＣ）５４Ａ、５８Ａ、６０Ａ、６２Ａに設定される。また、スタートアドレスとしてのセル中の最初のＶＯＢＵのスタートアドレス及びＰＧＣ番号、即ち、セル番号がシステム用ＲＯＭ／ＲＡＭ部５２に格納される。
【０２３６】
ステップＳ１７に示すようにビデオタイトルセットの読み込み準備が整った時点でリードコマンドがシステムＣＰＵ部５０からディスクドライブ部３０に与えられ、上述したスタートアドレスを基に光ディスク１０がディスクドライブ部３０によってシークされる。このリードコマンドによって光ディスク１０からは、指定されたプログラムチェーン（ＰＧＣ）に係るセルが次々に読み出され、システムＣＰＵ部５０及びシステム処理部５４を介してデータＲＡＭ部５６に送られる。この送られたセルデータは、図１２に示すようにビデオオブジェクトユニット（ＶＯＢＵ）８５の先頭パックであるナビゲーションパック８６からパックがデータＲＡＭ部５６に格納される。その後、ビデオオブジェクトユニット（ＶＯＢＵ）のビデオパック８８、オーディオパック９１及び副映像パック９０が夫々ビデオデコーダ部５８、オーディオデコーダ部６０及び副映像デコーダ部６２に分配され、夫々のデコーダでデコードされてＤ／Ａ及びデータ再生部６４に送られる。その結果、モニタ部６に映像信号が送られ、スピーカ部８に音声信号が送られ、副映像を伴った映像の表示が開始されるとともに音声の再現が開始される。
【０２３７】
このような映像及び音声の再生中においては、キー操作／表示部４あるいはリモートコントローラ５からの割り込み処理があった場合には、その得られたキーデータがシステムＲＡＭ／ＲＯＭ部５２に格納される。キーデータがない場合には、ステップＳ１９に示すようにドライブ部からの再生終了の割り込みがあったか否かがチェックされる。再生終了の割り込みがない場合には、ステップＳ２０に示すようにナビゲーションパック８６の転送を待つこととなる。ナビゲーションパック８６の転送が終了している場合には、ステップＳ２１に示すようにナビゲーションパック８６中の論理セクタ番号（ＮＶ＿ＰＣＫ＿ＬＳＮ）を現在の論理ブロック番号（ＮＯＷＬＢＮ）としてシステムＲＡＭ／ＲＯＭ部５２に格納される。
【０２３８】
ＮＶパック８６の転送が終了すると、そのセル内の最終ＮＶパック８６かがチェックされる。即ち、ステップＳ２２に示すようにセル８４中の最終ナビゲーションパック８６であるか否かがチェックされる。このチェックは、図４７に示すセル再生情報テーブル（Ｃ＿ＰＢＩ）１０７のＣ＿ＬＶＯＢＵのスタートアドレス（Ｃ＿ＬＶＯＢＵ＿ＳＡ）とナビゲーションパック８６のアドレス（Ｖ＿ＰＣＫ＿ＬＢＮ）を比較することによってチェックされる。ＮＶパック８６がセル内での最終でない場合には、再びステップ１９に戻される。ＮＶパック８６がセル８４内での最終である場合には、ステップＳ２３に示すようにアングルの変更があるか否かがチェックされる。アングルの変更は、キー操作／表示部４あるいはリモートコントローラ５からシステムＣＰＵ部５０にアングル変更の入力があるか否かに基づいて判断される。アングルの変更がない場合には、ステップＳ２４に示すようにそのセル８４が属するプログラムチェーン（ＰＧＣ）の最終セルであるかがチェックされる。このチェックは、図４０及び図４６に示すそのセル８４がセル再生情報テーブル（Ｃ＿ＰＢＩＴ）１０７の最終セルであるかによって判断される。即ち、プログラムチェーンを構成するセル数及び再生されたセルの識別番号によってチェックされる。セルがプログラムチェーン（ＰＧＣ）の最終セルに相当しない場合には、再びステップＳ１９に戻される。
【０２３９】
セル８４がプログラムチェーン（ＰＧＣ）の最終セルである場合には、そのプログラムチェーンが終了したとして、次のプログラムチェーン（ＰＧＣ）が指定される。特別な場合を除き、プログラムチェーンは、その番号順に再生されることから、ステップＳ２５に示すように再生が終了したプログラムチェーンの番号に１を加えることによって次に再生すべきプログラムチェーン番号が設定される。この設定されたプログラムチェーン番号のプログラムチェーンがあるか否かがステップＳ２６でチェックされる。次に再生されるプログラムチェーンがない場合には、後に説明される図８４に示す再生終了の手続きのフローに移行される。設定されたプログラムチェーンがある場合には、ステップＳ２７に示すようにその再設定されたプログラムチェーンのセルのアドレス、即ち、図４７に示すセル再生情報（Ｃ＿ＰＢＩ）１０７中のＣ＿ＦＶＯＢＵ８５のスタートアドレス（Ｃ＿ＦＶＯＢＵ＿ＳＡ）が現在の論理ブロック番号として獲得される。ステップＳ２８に示すようにこのスタートアドレス（Ｃ＿ＦＶＯＢＵ＿ＳＡ）が既に再生した前のプログラムチェーンのセル８４の最終アドレス（ＥＮＤＬＢＮ）に１を加えたアドレスに等しいかがチェックされる。等しければ、アドレスが連続したセルの再生であるから、再びステップＳ１８に戻される。アドレスが等しくない場合には、ステップＳ２９に示すようにセルアドレスが連続しないことからシステムＣＰＵ部５０は、現在のビデオオブジェクトユニットの終了アドレスを指示するリード終了アドレスコマンドを発し、指定したアドレスで一時的にディスクドライブ部３０に読み出し動作を中止させる。その後、ステップＳ３０に示すように再びシステムＣＰＵ部５０からリードコマンドがディスクドライブ部３０に与えられるとともにスタートアドレスがディスクドライブ部３０に与えられ、再びステップＳ１９に戻され、ナビゲーションパック８６のシークが開始される。
【０２４０】
ステップＳ１９において再生終了である場合、或いは、ステップＳ２６において次に再生されるプログラムチェーンがない場合には、図８４のステップＳ３１に示すようにＰＣＩ１１３の一般情報（ＰＣＩ−ＧＩ）に記載されるエンドＰＴＭ（ＶＯＢＵ＿ＥＰＴＭ）が参照され、このエンドＰＴＭ（ＶＯＢＵ＿ＥＰＴＭ）がシステムタイムクロック（ＳＴＣ）に一致すると、ステップ３２に示されるようにモニタ６の画面の表示が中止され、ステップＳ３３に示すようにシステムＣＰＵ部５０からディスクドライブ部３０にデータ転送中止コマンドが与えられ、データ転送が中止され、再生動作が終了される。
【０２４１】
ステップＳ２３においてキー操作／表示部４あるいはリモートコントローラ５からアングル変更の入力があると、図８５のステップＳ４０に示すようにアングルデータがあるかがチェックされる。このアングルの有無は、ナビゲーションパック８６のＰＣＩデータ１１３及びＤＳＩデータ１１５のいずれにもアングル情報（ＮＳＭＬ−ＡＧＬＩ、ＳＭＬ＿ＡＧＬＩ）として記載されている。ここで、キー操作／表示部４あるいはリモートコントローラ５からの入力に応じていずれかの情報がシステムＣＰＵ部５０によって調べられる。このステップ４０において変更の対象とされるアングルがない場合には、ステップＳ４１に示すようにアングルデータがない旨がキー操作／表示部４或いはモニタ部６に表示される。このアングルデータ無しの表示があった後に、ステップＳ２４に移行される。アングルデータがある場合には、ステップＳ４２に示すようにキー操作／表示部４あるいはリモートコントローラ５から変更されるべきアングル番号が指定される。ここで、既に述べるようにＰＣＩデータ及びＤＳＩデータのアングル情報（ＮＳＭＬ＿ＡＧＬＩ、ＳＭＬ＿ＡＧＬＩ）のいずれを利用するアングルの変更かが指定される。但し、一方のアングル情報のみしかない場合には、その選択は、一方に限られることとなる。アングル番号が指定されると、図６０及び図６１に示すように指定されたアングル番号に相当するアングルセルの目的のアドレス（ＮＳＭＬ＿ＡＧＬ＿Ｃ＿ＤＳＴＡ、ＳＭＬ＿ＡＮＬ＿Ｃ＿ＤＳＴＡ）がステップＳ４３で獲得される。このアドレスでセルがサーチされ、そのアドレスをシークすべき論理ブロック番号（ＮＯＷＬＢＮ）として設定する。ここで、特にＰＣＩを利用したアングル変更の際には、アングル変更動作に伴ってシステムＣＰＵ部５０は、ビデオ及びオーディオデータの再生に対してミュート処理を施すと共に副映像の再生に対してポーズ処理を施す。この処理に伴い再生装置各部のシステムタイムクロック（ＳＴＣ）をストップさせ、既にビデオ、オーディオ及び副映像デコーダ部５８、６０、６２内のバッファをクリアーして変更されたアングルデータの受け入れを可能とする状態とする（ステップＳ４４）。同時にステップ４５に示すようにシステムＣＰＵ部５０は、リード終了アドレスコマンドを発し、一時的にディスクドライブ部３０に読み出し動作を中止させる。その後、ステップＳ４６に示すようにシステムＣＰＵ部５０からリードコマンドがディスクドライブ部３０に与えられ、設定したシークすべき論理ブロック番号、即ち、選択したアングルセルのスタートアドレスでセルがサーチされて選定したアングルセルデータの転送が開始される。
【０２４２】
転送の開始に伴って再び変更アングル先である初めてのセルのナビゲーションパックの転送を待つこととなる。ステップＳ４８に示すようにデータ転送に伴うナビゲーションパックの転送の終了があるか否かがチェックされ、ナビゲーションパックの転送がない場合には、再びステップ４７に戻ることとなる。ナビゲーションパック８６の転送があると、ナビゲーションパック８６のＤＳＩ一般情報（ＤＳＩＧ）に記載のＮＶパック８６のＳＣＲ（ＮＶ＿ＰＣＫ＿ＳＣＲ）を参照して各システムタイムクロック（ＳＴＣ）がセットされる。その後、ステップＳ４４で設定されたビデオ及びオーディオのミュート状態及び副映像のポーズ状態が解除され、システムタイムクロック（ＳＴＣ）の動作がスタートされる。その後、通常再生と同様に図８２に示すステップＳ２１が実行される。
【０２４３】
また、上記ステップＳ５で一致する固有コードが存在しない場合、システムＣＰＵ部５０は、ビデオタイトルセット（ＶＴＳ）７２内のビデオタイトルセットタイトル用のビデオオブジェクトセット（ＶＴＳＴＴ＿ＶＯＢＳ）９６の開始セクタ（ナビゲーションパック８６に対応）の次のセクタのデータ内の、１０２４バイト目と１０２５バイト目の２バイトのデータで、固有コードを生成し（ステップＳ１０）、この固有コードと上述したように、各メニューにより選択されたタイトルの選択状態、チャプターの選択状態、オーディオデータの選択状態、副映像の選択状態、アングルの選択状態、国別対応の状態、パレンタルレベルの選択状態、オンスクリーンディスプレイの表示状況を再生状態テーブル５２Ａに登録する（ステップＳ１１）。
【０２４４】
また、上記ステップＳ３３の再生動作が終了された後、電源断時あるいは光ディスク１０の取外し時に（ステップＳ３４）、そのときの再生終了位置に対応する中断位置も上記固有コードに対応させて再生状態テーブル５２Ａに登録する（ステップＳ３５）。
【０２４５】
上記例では、固有コードに対応した種々の設定状態を確認してから再生する場合について説明したが、確認せずに前回の状態から再生を自動的に行うようにしても良い。
【０２４６】
また、上記固有コードを用いた光ディスクの識別に基づいた種々の設定状態への変更を行う機能のオン−オフを、切り換えられるようにしても良い。
【０２４７】
上記したように、過去に使用した光ディスクの固有データとその時の再生装置の各設定状態（音声チャンネルや副映像チャンネル等）を記憶しておくことにより、今回使用しようとする光ディスクが過去に使用したことがあり、光ディスクから読み出した固有データと過去の固有データが一致した場合、過去に使用したときの再生装置の各設定状態に自動設定するようにしたものである。
【０２４８】
また、設定状態には過去の使用状況も含むことができる。これは過去の再生時に光ディスクのどのデータを使用していたか、どこまで使用したかという情報であり、今回再生する場合には、過去の使用時の続きから行うことも可能である。
【０２４９】
これにより、過去に再生された光ディスクを使用する場合、音声チャンネルや副映像チャンネル等の装置の設定項目が前回の使用時と同じ環境に自動設定され、使い勝手が向上する。もちろん、自動設定機能が不要な場合は機能を停止することも可能である。
【０２５０】
上述した説明においては、ビデオオブジェクトユニットは、ビデオ、オーディオ及び副映像を含むデータ列として説明したが、ビデオ、オーディオ及び副映像のいずれかが含まれれば良く、オーディオパックのみ或いは副映像パックのみで構成されても良い。
【０２５１】
また、光ディスクごとに設定を記憶、変更する例を説明したが、これに限らず、１枚の光ディスク中に複数のタイトルが含まれる場合、各タイトルごとに設定を記憶、変更する場合も同様に実施できる。
【０２５２】
また、再生状態テーブルへのデータ（再生履歴情報）の記憶方法も、ＦＩＦＯ方式やユーザの指定時に記憶する方式等自由である。再生状態テーブルに記憶できる項目は、多数の項目があるが、その全部あるいは一部を使用するようにしても良い。
【０２５３】
また、上記例では、記録媒体が、再生専用の光ディスク（ＤＶＤ−ＲＯＭ）について説明したが、これに限らず、１回だけ書き込みができるライトワンスの光ディスクや記録再生ができる光ディスク（ＤＶＤ−ＲＡＭ）の場合も同様に実施できる。このような記録のできる光ディスクを用いた装置の場合には、固有データ情報から光ディスクを特定し、独自にライトプロテクト情報を持つことで、不要なデータを書き込んだり、上書きして必要なデータを消去したりしないようセキュリティ対策にも使用することができる。
【０２５４】
【発明の効果】
以上説明したように、この発明によれば、記録媒体ごとに種々の設定をいちいち行なわなくて良く、操作性の良い再生装置と再生方法を提供できる。
【０２５５】
また、途中まで再生していた記録媒体を、再度装填して再生しようとした際に、その途中の再生位置から自動的に再生することができ、操作性の良い再生装置と再生方法を提供できる。
【図面の簡単な説明】
【図１】図１は、この発明の一実施例に係る光ディスク装置の概略を示すブロック図である。
【図２】図２は、図１に示したディスクドライブ装置の機構部の詳細を示すブロック図である。
【図３】図３は、図１に示したディスクドライブ装置に装填される光ディスクの構造を概略的に示す斜視図である。
【図４】図４は、図１に示したシステム用ＲＯＭ・ＲＡＭ部内の再生状態テーブルの構成を説明するための図である。
【図５】図５は、図１に示したキー操作及び表示部の概略構成を示す図である。
【図６】図６は、図１に示したリモートコントロールの概略構成を示す図である。
【図７】図７は、図３に示す光ディスクの論理フォーマットの構造を示す図である。
【図８】図８は、図７に示すリードインエリアの構造を示す図である。
【図９】図９は、図７に示すボリューム及びファイル構造領域内のＵＤＦのプライマリボリュームディスクリプタを示す図である。
【図１０】図１０は、図７に示すボリューム及びファイル構造領域内のＩＳＯ９６６０のプライマリボリュームディスクリプタリードインエリアの構造を示す図である。
【図１１】図１１は、図７に示されるビデオマネージャーの構造を示す。
【図１２】図１２は、図７に示されるビデオオブジェクトセット（ＶＯＢＳ）の構造を示す例である。
【図１３】図１３は、図１２に示されたビデオオブジェクトユニットの構造を示す説明図である。
【図１４】図１４は、図１１に示されたビデオマネージャ（ＶＭＧＩ）内のビデオマネージャ情報管理テーブル（ＶＭＧＩ＿ＭＡＴ）のパラメータ及び内容を示す。
【図１５】図１５は、図１１に示されたビデオマネージャ（ＶＭＧＩ）内のタイトルサーチポインタテーブル（ＴＴ＿ＳＲＰＴ）の構造を示す。
【図１６】図１６は、図１５に示したタイトルサーチポインタテーブル（ＴＴ＿ＳＲＰＴ）のタイトルサーチポインタテーブルの情報（ＴＴ＿ＳＲＰＴＩ）のパラメータ及び内容を示す。
【図１７】図１７は、図１５に示したタイトルサーチポインタテーブル（ＴＴ＿ＳＲＰＴ）の入力番号に対応したタイトルサーチポインタ（ＴＴ＿ＳＲＰ）のパラメータ及び内容を示す。
【図１８】図１８は、図１１に示されたビデオマネージャーメニューＰＧＣＩユニットテーブル（ＶＭＧＭ＿ＰＧＣＩ＿ＵＴ）の構造を示す。
【図１９】図１９は、図１８に示されるビデオマネージャーメニューＰＧＣＩユニットテーブル情報（ＶＭＧＭ＿ＰＧＣＩ＿ＵＴＩ）のパラメータ及び内容を示す。
【図２０】図２０は、図１８に示されるビデオマネージャーメニューＰＧＣＩユニットサーチポインタ（ＶＭＧＭ＿ＬＵ＿ＳＲＰ）のパラメータ及び内容を示す。
【図２１】図２１は、図１８に示されるビデオマネージャーメニュー言語ユニット（ＶＭＧＭ＿ＬＵ）の構造を示す。
【図２２】図２２は、図２１に示されるビデオマネージャーメニュー言語ユニット情報（ＶＭＧＭ＿ＬＵＩ）のパラメータ及び内容を示す。
【図２３】図２３は、ビデオマネージャーメニューＰＧＣ情報サーチポイント（ＶＭＧＭ＿ＰＧＣＩ＿ＳＲＰ）のパラメータ及び内容を示す。
【図２４】図２４は、図１１に示されたパレンタルマネージャー情報テーブル（ＰＴＬ＿ＭＡＩＴ）の構造を示す。
【図２５】図２５は、図２４に示されたパレンタルマネージャー情報テーブル情報（ＰＴＬ＿ＭＡＩＴＩ）の構造を示す。
【図２６】図２６は、図２４に示されたパレンタルマネージャー情報サーチポインタ（ＰＴＬ＿ＭＡＩ＿ＳＲＰ）の構造を示す。
【図２７】図２７は、図２４に示されたパレンタルマネージャー情報（ＰＴＬ＿ＭＡＩ）の構造を示す。
【図２８】図２８は、図２７に示されたパレンタルレベル情報（ＰＴＬ＿ＬＶＬＩ）の構造を示す。
【図２９】図２９は、図２８に示されたビデオマネージャーのパレンタルＩＤフィールド（ＰＴＬ＿ＩＤ＿ＦＬＤ＿ＶＭＧ）、ビデオタイトルセットのパレンタルＩＤフィールド（ＰＴＬ＿ＩＤ＿ＦＬＤ＿ＶＴＳ）の構造を示す。
【図３０】図３０は、図２９に示されたパレンタルＩＤフィールドのプログラムチェーンに関する情報（ＰＴＬ＿ＩＤ＿ＦＬＤ）の構造を示す。
【図３１】図３１は、図３０に示されたパレンタルレベルの構造を示す。
【図３２】図３２は、図２４に示されたパレンタルレベルネーム（ＰＴＬ＿ＬＶＬ＿ＮＭＩ）の構造を示す。
【図３３】図３３は、図７に示したビデオタイトルセットの構造を示す。
【図３４】図３４は、図３３に示したビデオタイトルセット情報（ＶＴＳＩ）のビデオタイトルセット情報の管理テーブル（ＶＴＳＩ＿ＭＡＴ）のパラメータ及び内容を示す。
【図３５】図３５は、図７に示したビデオタイトルセット（ＶＴＳ）のオーディオストリームの属性（ＶＴＳ＿ＡＳＴ＿ＡＴＲ）の内容を示す。
【図３６】図３６、図７に示したビデオタイトルセット（ＶＴＳ）の副映像ストリーム属性（ＶＴＳ＿ＳＰＳＴ＿ＡＴＲ）の内容を示す。
【図３７】図３７は、図３３に示したビデオタイトルセット（ＶＴＳ）のビデオタイトルセットプログラムチェーン情報のテーブル（ＶＴＳ＿ＰＧＣＩＴ）の構造を示す。
【図３８】図３８は、図３７に示したビデオタイトルセットプログラムチェーン情報のテーブル（ＶＴＳ＿ＰＧＣＩＴ）の情報（ＶＴＳ＿ＰＧＣＩＴ＿Ｉ）のパラメータ及び内容を示す。
【図３９】図３９は、図３７に示したビデオタイトルセットプログラムチェーン情報のテーブル（ＶＴＳ＿ＰＧＣＩＴ）のプログラムチェーンに対応したサーチポインタ（ＶＴＳ＿ＰＧＣＩＴ＿ＳＲＰ）のパラメータ及び内容を示す。
【図４０】図４０は、図３７に示したビデオタイトルセットプログラムチェーン情報のテーブル（ＶＴＳ＿ＰＧＣＩＴ）のプログラムチェーンに対応したビデオタイトルセットの為のプログラムチェーン情報（ＶＴＳ＿ＰＧＣＩ）の構造を示す。
【図４１】図４１は、図４０に示したプログラムチェーン情報（ＶＴＳ＿ＰＧＣＩ）のプログラムチェーンの一般情報（ＰＧＣ＿ＧＩ）のパラメータ及び内容を示す。
【図４２】図４２は、図４１に示したプログラムチェーンの一般情報（ＰＧＣ＿ＧＩ）のプログラムチェーン（ＰＧＣ）のカテゴリー（ＰＧＣ＿ＣＡＴ）の構造を示す。
【図４３】図４３は、図４１に示したプログラムチェーンの一般情報（ＰＧＣ＿ＧＩ）のの内容（ＰＧＣ＿ＣＮＴ）の構造を示す。
【図４４】図４４は、図４０に示したプログラムチェーン情報（ＶＴＳ＿ＰＧＣＩ）のプログラムチェーンのマップ（ＰＧＣ＿ＰＧＭＡＰ）の構造を示す。
【図４５】図４５は、図４０に示したプログラムチェーンのマップ（ＰＧＣ＿ＰＧＭＡＰ）に記述されるプログラムに対するエントリーセル番号（ＥＣＥＬＬＮ）のパラメータ及び内容を示す。
【図４６】図４６は、図４０に示したプログラムチェーン情報（ＶＴＳ＿ＰＧＣＩ）のセル再生情報テーブル（Ｃ＿ＰＢＩＴ）の構造を示す。
【図４７】図４７は、図４６に示したセル再生情報（Ｃ＿ＰＢＩ）のパラメータ及び内容を示す。
【図４８】図４８は、図４１に示したプログラムチェーン情報（ＶＴＳ＿ＰＧＣＩ）のセル位置情報（Ｃ＿ＰＯＳＩ）の構造を示す。
【図４９】図４９は、図４８に示したセル位置情報（Ｃ＿ＰＯＳＩ）のパラメータ及び内容を示す。
【図５０】図５０は、図３３に示したビデオタイトルセットメニューＰＧＣＩユニットテーブル（ＶＴＳＭ＿ＰＧＣＩ＿ＵＴ）の構造を示す。
【図５１】図５１は、図５０に示したビデオタイトルセットメニューＰＧＣＩユニットテーブル情報（ＶＴＳＭ＿ＰＧＣＩ＿ＵＴＩ）のパラメータ及び内容を示す。
【図５２】図５２は、図５０に示したビデオタイトルセットメニューＰＧＣＩユニットサーチポインタ（ＶＴＳＭ＿ＬＵ＿ＳＲＰ）のパラメータ及び内容を示す。
【図５３】図５３は、図５０に示したビデオタイトルセットメニュー言語ユニット（ＶＴＳＭ＿ＬＵ）の構造を示す。
【図５４】図５４は、図５０に示したビデオタイトルセットメニュー言語ユニット情報（ＶＴＳＭ＿ＬＵＩ）のパラメータ及び内容を示す。
【図５５】図５５は、ビデオタイトルセットメニューＰＧＣ情報サーチポイント（ＶＴＳＭ＿ＰＧＣＩ＿ＳＲＰ）のパラメータ及び内容を示す。
【図５６】図５６は、図１２に示したナビゲーションパックの構造を示す。
【図５７】図５７は、図１２に示したビデオパック、オーディオパック、または副映像パックの構造を示す。
【図５８】図５８は、図５６に示されるナビゲーションパックの再生制御情報（ＰＣＩ）のパラメータ及び内容を示す。
【図５９】図５９は、図５８に示される再生制御情報（ＰＣＩ）中の一般情報（ＰＣＩ＿ＧＩ）のパラメータ及び内容を示す。
【図６０】図６０は、図５８に示される再生制御情報（ＰＣＩ）中のアングル情報（ＮＳＭＬ＿ＡＧＬＩ）のパラメータ及び内容を示す。
【図６１】図６１は、図６０に示される再生制御情報（ＰＣＩ）中のアングル情報（ＮＳＭＬ＿ＡＧＬＩ）を利用してアングル変更を実施する際の説明図である。
【図６２】図６２は、図５６に示されるナビゲーションパックのディスクサーチ情報（ＤＳＩ）のパラメータ及び内容を示す。
【図６３】図６３は、図６２に示されるディスクサーチ情報（ＤＳＩ）のＤＳＩ一般情報（ＤＳＩ＿ＧＩ）のパラメータ及び内容を示す。
【図６４】図６４は、図６２に示されるディスクサーチ情報（ＤＳＩ）のアングル情報  （ＳＭＬ＿ＡＧＬＩ）のパラメータ及び内容を示す。
【図６５】図６５は、図６４に示されるディスクサーチ情報（ＤＳＩ）中のアングル情報（ＳＭＬ＿ＡＧＬＩ）を利用してアングル変更を実施する際の説明図である。
【図６６】図６６は、図６２に示されるビデオオブジェクトユニット（ＶＯＢＵ）のサーチ情報（ＶＯＢＵ＿ＳＲＩ）のパラメータ及びその内容を示す。
【図６７】図６７は、図６２に示されるビデオオブジェクトユニット（ＶＯＢＵ）のサーチ情報（ＶＯＢＵ＿ＳＲＩ）のフォワードアドレス（ＦＷＤＡ）を記述するビットマップを示す。
【図６８】図６８は、図６２に示されるビデオオブジェクトユニット（ＶＯＢＵ）のサーチ情報（ＶＯＢＵ＿ＳＲＩ）のバックワードアドレス（ＢＷＤＡ）を記述するビットマップを示す。
【図６９】図６９は、図６２に示されるビデオオブジェクトユニット（ＶＯＢＵ）の同期再生情報（ＳＹＮＣＩ）のパラメータ及びその内容を示す。
【図７０】図７０は、副映像ユニットの構成を示す。
【図７１】図７１は、図７０に示される副映像ユニットの副映像ユニットヘッダ（ＳＰＵＨ）のパラメータ及びその内容を示す。
【図７２】図７２は、図７０に示される副映像ユニットの表示制御シーケンステーブル（ＤＣＳＱＴ）のパラメータ及びその内容を示す。
【図７３】図７３は、図７２に示される表示制御シーケンス（ＤＣＳＱ）のパラメータ及びその内容を示す。
【図７４】図７４は、パケット転送処理部の構成を示す。
【図７５】図７５は、光ディスク内の総タイトル数、各タイトルごとのチャプタ数（プログラム数）、各タイトルごとのオーディオストリーム数とオーディオストリームの言語、各タイトルごとの副映像ストリーム数と副映像ストリームの言語を検出する際のフローチャートを示す。
【図７６】図７６は、光ディスク内の総タイトル数、各タイトルごとのチャプタ数（プログラム数）、各タイトルごとのオーディオストリーム数とオーディオストリームの言語、各タイトルごとの副映像ストリーム数と副映像ストリームの言語を検出する際のフローチャートを示す。
【図７７】図７７は、メモリテーブルの記憶例を示す図。
【図７８】図７８は、メインメニューの画像の再生例を示す図。
【図７９】図７９は、タイトルメニュー、チャプタメニュー、オーディオメニュー、副映像メニュー、アングルメニューの画像の再生例を示す図。
【図８０】図８０は、メニューが再生される際の処理手順を示すフローチャートを示す。
【図８１】図８１は、図７から図６９に示す論理フォーマットを有する光ディスクにおいてビデオデータを通常モードで再生する手順を示すフローチャートを示す。
【図８２】図８２は、図７から図６９に示す論理フォーマットを有する光ディスクにおいてビデオデータを通常モードで再生する手順を示すフローチャートを示す。
【図８３】図８３は、図７から図６９に示す論理フォーマットを有する光ディスクにおいてビデオデータを通常モードで再生する手順を示すフローチャートを示す。
【図８４】図８４は、図７から図６９に示す論理フォーマットを有する光ディスクにおいてビデオデータを通常モードで再生する手順を示すフローチャートを示す。
【図８５】図８５は、図７から図６９に示す論理フォーマットを有する光ディスクにおいてビデオデータの再生中におけるアングルを変更する手順を示すフローチャートを示す。
【符号の説明】
４…キー操作／表示部
５…リモートコントロール
６…モニタ部
８…スピーカ部
１０…光ディスク
２７…リードインエリア
２７Ｃ…エンドセクタ番号エリア
３０…ディスクドライブ部
５０…システムＣＰＵ部
５２…システム用ＲＯＭ＆ＲＡＭ部
５２Ａ…再生状態テーブル
５６…データＲＡＭ部
５６Ａ…メモリテーブル
６４…Ｄ／Ａ及び再生処理部
７０…ボリューム及びファイル構造領域
７１…ビデオマネージャー
７２、〜…ビデオタイトルセット
７６…ビデオマネージャーメニューのビデオオブジェクトセット
７９…タイトルサーチポインタテーブル
８１…ビデオマネージャーメニューＰＧＣＩユニットテーブル
８６…ＮＶパック
８８…ビデオパック
９０…副映像パック
９１…オーディオパック
９４…ビデオタイトルセット情報
９５…ビデオタイトルセットメニューのビデオオブジェクトセット
９６…タイトルセットにおけるタイトルのビデオオブジェクトセット
９８…ビデオタイトルセット情報の管理テーブル
１１１…ビデオタイトルセットメニューＰＧＣＩユニットテーブル
【図１】
0003663017.tif 000002
【図２】
0003663017.tif 000003
【図３】
0003663017.tif 000004
【図４】
0003663017.tif 000005
【図５】
0003663017.tif 000006
【図６】
0003663017.tif 000007
【図７】
0003663017.tif 000008
【図８】
0003663017.tif 000009
【図９】
0003663017.tif 000010
【図１０】
0003663017.tif 000011
【図１１】
0003663017.tif 000012
【図１２】
0003663017.tif 000013
【図１３】
0003663017.tif 000014
【図１４】
0003663017.tif 000015
【図１５】
0003663017.tif 000016
【図１６】
0003663017.tif 000017
【図１７】
0003663017.tif 000018
【図１８】
0003663017.tif 000019
【図１９】
0003663017.tif 000020
【図２０】
0003663017.tif 000021
【図２１】
0003663017.tif 000022
【図２２】
0003663017.tif 000023
【図２３】
0003663017.tif 000024
【図２４】
0003663017.tif 000025
【図２５】
0003663017.tif 000026
【図２６】
0003663017.tif 000027
【図２７】
0003663017.tif 000028
【図２８】
0003663017.tif 000029
【図２９】
0003663017.tif 000030
【図３０】
0003663017.tif 000031
【図３１】
0003663017.tif 000032
【図３２】
0003663017.tif 000033
【図３３】
0003663017.tif 000034
【図３４】
0003663017.tif 000035
【図３５】
0003663017.tif 000036
【図３６】
0003663017.tif 000037
【図３７】
0003663017.tif 000038
【図３８】
0003663017.tif 000039
【図３９】
0003663017.tif 000040
【図４０】
0003663017.tif 000041
【図４１】
0003663017.tif 000042
【図４２】
0003663017.tif 000043
【図４３】
0003663017.tif 000044
【図４４】
0003663017.tif 000045
【図４５】
0003663017.tif 000046
【図４６】
0003663017.tif 000047
【図４７】
0003663017.tif 000048
【図４８】
0003663017.tif 000049
【図４９】
0003663017.tif 000050
【図５０】
0003663017.tif 000051
【図５１】
0003663017.tif 000052
【図５２】
0003663017.tif 000053
【図５３】
0003663017.tif 000054
【図５４】
0003663017.tif 000055
【図５５】
0003663017.tif 000056
【図５６】
0003663017.tif 000057
【図５７】
0003663017.tif 000058
【図５８】
0003663017.tif 000059
【図５９】
0003663017.tif 000060
【図６０】
0003663017.tif 000061
【図６１】
0003663017.tif 000062
【図６２】
0003663017.tif 000063
【図６３】
0003663017.tif 000064
【図６４】
0003663017.tif 000065
【図６５】
0003663017.tif 000066
【図６６】
0003663017.tif 000067
【図６７】
0003663017.tif 000068
【図６８】
0003663017.tif 000069
【図６９】
0003663017.tif 000070
【図７０】
0003663017.tif 000071
【図７１】
0003663017.tif 000072
【図７２】
0003663017.tif 000073
【図７３】
0003663017.tif 000074
【図７４】
0003663017.tif 000075
【図７５】
0003663017.tif 000076
【図７６】
0003663017.tif 000077
【図７７】
0003663017.tif 000078
【図７８】
0003663017.tif 000079
【図７９】
0003663017.tif 000080
【図８０】
0003663017.tif 000081
【図８１】
0003663017.tif 000082
【図８２】
0003663017.tif 000083
【図８３】
0003663017.tif 000084
【図８４】
0003663017.tif 000085
【図８５】
0003663017.tif 000086